(57)【要約】  【課題】  遊技機を設置する島台に設けられる表示装置であって、模様自体が明るく発光して高い装飾効果が得られ、且つ意匠パターンの変更が容易であり安価で取り扱いに優れたものを提供する。  【解決手段】  島台の欄間などに設ける表示装置８を、アクリル板などの導光板に光を拡散する性質の塗料で模様を印刷した２枚の表示プレートと、この２枚の表示プレートを着脱可能に支持するフレームと、このフレームに装着された表示プレートの端面に光を照射する光源部とで構成する。表示プレート内を伝播する光が模様に当たると拡散して模様が発光するので、光源部を制御して２枚の表示プレートの模様を個別に所望の色や点灯パターンにて発光可能になると共に、ＬＥＤ基板が立設して装着されているので表示装置の厚みを薄くできる。  【選択図】  図１
2007097806.tif 000002
【特許請求の範囲】
【請求項１】
遊技機を設置する島台に設けられる表示装置であって、光を拡散する模様を導光板に付した表示プレートと、前記表示プレートの端面に光を照射する光源部が少なくとも取り付けられた基板とを有し、
前記基板は、その板厚方向が前記表示プレートの板厚方向と同方向で、この表示プレートの端面から連なるように設けられていることを特徴とする表示装置。
【請求項２】
前記島台に取り付けられ、前記表示プレートを着脱可能に支持するフレームを有することを特徴とする請求項１に記載の表示装置。
【請求項３】
前記フレームは、その一端部側に設けた回転軸で前記島台に回転可能に取り付けてあり、前記基板は、前記フレームの回転軸側の辺に内蔵されていることを特徴とする請求項２に記載の表示装置。
【請求項４】
前記光源部の光源は表面実装型の発光ダイオードであり、この発光ダイオードから出射する光を反射する反射部材を設け、この反射部材により光を反射させて前記表示プレートの端面に光を照射することを特徴とする請求項１乃至請求項３の何れかに記載の表示装置。
【請求項５】
前記反射部材は、前記フレームまたは／及び前記基板の表面に形成された光の反射層であることを特徴とする請求項４に記載の表示装置。
【請求項６】
前記光源部の光源はランプ型の発光ダイオードであり、この発光ダイオードは、その頭部が表示プレートの端面に臨むように略Ｌ字状の端子で前記基板に取り付けられていることを特徴とする請求項１乃至請求項３の何れかに記載の表示装置。
【請求項７】
前記フレームは、装着された表示プレートのうち前記発光ダイオードから所定距離の範囲内にある部分を覆い隠す目隠し部を有することを特徴とする請求項６に記載の表示装置。
【請求項８】
遊技機を設置する島台に設けられる表示装置であって、光を拡散する模様を導光板に付した表示プレートと、前記表示プレートの端面に光を照射する発光ダイオードが少なくとも取り付けられた基板とを有し、
前記表示プレートの端面または端面近傍に孔を穿設し、この孔に前記発光ダイオードが臨むように、前記基板をその板厚方向が前記表示プレートの板厚方向と同方向となるように前記表示プレートに付設したことを特徴とする表示装置。
【請求項９】
前記発光ダイオードから出射する光を反射する反射部材を設け、この反射部材により光を反射させて前記孔の端面に光を照射することを特徴とする請求項８に記載の表示装置。
【請求項１０】
前記表示プレートの前記光源部からの光が入射する箇所を除く端面に反射材を設けたことを特徴とする請求項１乃至請求項９の何れかに記載の表示装置。
【請求項１１】
前記光源部からの光が入射される前記表示プレートの端面に、鏡面加工を施したことを特徴とする請求項１乃至請求項１０の何れかに記載の表示装置。
【請求項１２】
前記表示プレートはＬ字状に折り曲げてあって、その一片を前記島台のカウンタ部として使用し、他方の片を前記島台の腰板部として使用することを特徴とする請求項１乃至請求項１１の何れかに記載の表示装置。
【請求項１３】
前記表示プレートを前記島台の腰板部として使用し、かつ前記光源部から入射された光がこの表示プレートの下端から出射するようにしたことを特徴とする請求項１乃至請求項１２の何れかに記載の表示装置。
【請求項１４】
前記光源部の点灯パターンを制御する制御部を備え、前記光源部は、出射する光の色を切り替え可能であり、前記制御部は、前記光源部が出射する光の色を切り替えることを特徴とする請求項１乃至請求項１３の何れかに記載の表示装置。
【請求項１５】
前記表示プレートは、光を拡散する性質の塗料で模様を導光板に印刷したものであることを特徴とする請求項１乃至請求項１４の何れかに記載の表示装置。
【請求項１６】
前記表示プレートは、光を拡散する性質の塗料で模様を印刷したフィルムシートを導光板に貼着したものであることを特徴とする請求項１乃至請求項１４の何れかに記載の表示装置。
【請求項１７】
前記フィルムシートは、模様の形に切り取られたものであることを特徴とする請求項１６に記載の表示装置。
【請求項１８】
前記表示プレートは、第１表示プレートと第２表示プレートとからなり、前記光源部は、前記第１表示プレートの端面に光を照射する第１光源部と前記第２表示プレートの端面に光を照射する第２光源部とからなり、
前記第１表示プレートは前記第２表示プレートの前面側に位置し、この第１表示プレート及び第２表示プレートの一部または全部が重なり合って所定の模様が形成されることを特徴とする請求項１乃至請求項１７の何れかに記載の表示装置。
【請求項１９】
前記第１光源部から出射された光が前記第２表示プレートの端面に、及び前記第２光源部から出射された光が前記第１表示プレートの端面に入射するのを防止する防止部材を有することを特徴とする請求項１８に記載の表示装置。
【請求項２０】
前記第１表示プレートと第２表示プレートとの隙間を覆う遮蔽部材を備えたことを特徴とする請求項１８または請求項１９に記載の表示装置。
【発明の詳細な説明】
【技術分野】
【０００１】
本発明は、パチンコ機やスロットマシンなどの遊技機を設置する島台に設けられる表示装置に係わり、特に装飾効果や演出効果を目的とした表示装置に関する。
【背景技術】
【０００２】
遊技場に設置されるパチンコ機やスロットマシンなどの遊技機は、通常、遊技に適した高さで横一列に複数台が並ぶようにして島台に収容される。このほか、島台は、パチンコ球などの遊技媒体を貸し出す遊技媒体貸出装置や遊技者の獲得した遊技媒体を数える計数機を収容している。
【０００３】
さらに島台の左右中央内部には、遊技機や計数機から排出される遊技媒体を回収し研磨・清掃して再び遊技機や遊技媒体貸出装置に供給する回収供給装置が内蔵されている。回収供給装置から遊技媒体を各遊技機に供給するための補給樋は、遊技機の上方に島の中央から両端に向けて掛け渡してあり、遊技機の下部には、各遊技機から排出された遊技媒体を回収するための回収樋が島の両端から中央に向けて掛け渡してある。
【０００４】
このような回収供給装置や補給樋、回収樋が露出しないように島台の上部は幕板や欄間で覆い、島台の下部は腰板や巾木で覆ってある。また島台の左右両端は妻板で塞いである。欄間や妻板は、遊技者の目につきやすい箇所にあるので、内部構造の露出を防止する機能のほか島台自体を装飾する目的にも利用される。特に、装飾効果を高めるために、図柄や文字の描かれた欄間を照明するほか、文字や図柄自体が光るようにした島台がある。
【０００５】
たとえば、幕板の下方に発光源を取り付け、文字や模様を描いた欄間等（以下、プレートと呼ぶ）を間接的に照明するようにした島台がある（たとえば、特許文献１参照。）。また、文字や模様を描いた半透明のプレートの内側に発光源を配置し、バックライト的にプレートを発光させるようにしたものがある（たとえば、特許文献２参照。）。
【０００６】
さらに、プレートの表面に直接、発光源を設けて絵柄や文字自体を発光させるようにしたものがある（たとえば、特許文献３、特許文献４参照。）。また、プレートの表面にＥＬ（エレクトロルミネッセンス）素子を設けてＥＬパネルを形成し、所定の文字や絵柄等を発光させるようにした島台が開示されている（たとえば特許文献５、特許文献６参照。）。
【０００７】
【特許文献１】特開平６−２３１３２号公報
【特許文献２】特開平１１−２０７０１２号公報
【特許文献３】登録実用新案第３０９１７４７号公報
【特許文献４】実開平６−４６７８０号公報
【特許文献５】特開２００４−８５８９号公報
【特許文献６】登録実用新案第３００５６３０号公報
【発明の開示】
【発明が解決しようとする課題】
【０００８】
プレートを間接照明するものでは、プレート自体が発光しないので装飾効果は今ひとつで、インパクトにかける。プレートをバックライトで照明するものやプレートの表面に発光源を直接取り付けたものでは、プレート自体が光るものの、プレートが高価になるとともに、厚みが増して嵩張ったり取り扱いに注意を要する。特に、欄間は補給樋などの保守点検のために開閉自在に設ける必要があるので、嵩張らず軽量で取り扱いの容易なプレートが好ましい。
【０００９】
また、プレートに発光源を直接取り付けたものでは、プレート内の発光源に点灯制御用の制御線や電源線を接続することが必須となり、模様変更等のためにプレートを交換したり保守・点検等のために取り外したりする毎に、制御線や電源の接続を切り離し、後でまた接続するという面倒な作業が発生していた。
【００１０】
さらに、ＥＬ（エレクトロルミネッセンス）素子を利用したものでは、発光強度が弱いので、明るいホール内では目立たず不向きであるとともに、インバータ等の点灯制御装置が必要となり装置が高価になるという問題があった。
【００１１】
本発明は、このような問題点や課題の少なくとも何れかを解決するためになされたもので、その目的とするところは、導光板の側面から光を照射することによって模様が発光する薄型に製作可能な遊技機を設置する島台に設けられる表示装置であって、複雑な模様や模様の変更も容易にでき、さらに発光する模様の色や点灯パターンを変えて変化に富む高い装飾効果や演出効果が得られ、しかもプレートの交換や取り外し及び再利用が容易であり、これらを低価格で実現可能な表示装置を提供することにある。
【課題を解決するための手段】
【００１２】
このような問題を解決するために、本発明の表示装置は、請求項１に記載したように、遊技機を設置する島台に設けられる表示装置であって、光を拡散する模様を導光板に付した表示プレートと、前記表示プレートの端面に光を照射する光源部が少なくとも取り付けられた基板とを有し、前記基板は、その板厚方向が前記表示プレートの板厚方向と同方向で、この表示プレートの端面から連なるように設けられていることを特徴とする。
【００１３】
上記発明によれば、表示プレートの端面から入射した光が導光板内を伝播し、模様に衝突すると光が拡散されて導光板の外へ出射し、模様の部分が発光する。ここで光源部は基板に取り付けられており、この基板は、その板厚方向が表示プレートの板厚方向と同方向で、表示プレートの端面から連なるように設けられている。この構成では、板厚方向において基板が表示プレートから突出することがなく、また、表示プレートの端面から光を照射するだけで、表示プレートを電気的に接続することなく、表示プレートの模様自体を発光することができる。また、表示プレートに照射する光の色を変えるだけで、模様の発光色が変わり、装飾効果を変化させることができる。なお、導光板の材料としては、屈折率が高い透明材料としてのメタクリル樹脂（ＰＭＭＡ）、アクリル樹脂が好ましい。
【００１４】
また、請求項２の発明は、請求項１に記載の表示装置において、前記島台に取り付けられ、前記表示プレートを着脱可能に支持するフレームを有することを特徴とする。
【００１５】
上記発明によれば、表示プレートは島台に取り付けられたフレームに着脱可能に支持されている。なお、表示プレートのフレームへの取り付け方法は問わない。たとえば、定位置に嵌め込んだ後に螺子で固定してもよいし、パチン錠などの係止具で表示プレートを固定してもよい。フレームは、表示プレートの周囲４辺すべてを取り囲むものであっても、一部の辺が開放されたもの、たとえばコ字型やＬ字型であってもよい。また１辺だけで支持するものであってもよい。要は、模様が視認可能であって表示プレートを着脱可能に支持するものであればよい。
【００１６】
また、請求項３の発明は、請求項２に記載の表示装置において、前記フレームは、その一端部側に設けた回転軸で前記島台に回転可能に取り付けてあり、前記基板は、前記フレームの回転軸側の辺に内蔵されていることを特徴とする。
【００１７】
上記発明によれば、光源部が取り付けられた基板はフレームに内蔵され、しかもこの基板の存する側の辺に設けた回転軸で、フレームが島台に回転可能に設置される。回転軸を中心にフレームを開閉しても、基板の位置があまり変位しないので、フレームの島台への取り付けが容易となり、基板と島側の制御部や電源部等とを接続するワイヤハーネスに必要な長さの余裕量が減る。なお、基板をフレームに内蔵する方法は問わない。たとえば、基板を取り付け部材等を用いて取り付けてもよいし、フレームに直接取り付けるように構成してもよい。
【００１８】
また、請求項４の発明は、請求項１乃至請求項３の何れかに記載の表示装置において、前記光源部の光源は表面実装型の発光ダイオードであり、この発光ダイオードから出射する光を反射する反射部材を設け、この反射部材により光を反射させて前記表示プレートの端面に光を照射することを特徴とする。
【００１９】
上記発明によれば、光源部の光源に表面実装型の発光ダイオードを用いるので、基板の板厚を薄くすることができる。また、反射部材により発光ダイオードから出射する光を反射させて表示プレートの端面に光を照射するようにしたので、発光ダイオードの視野角（指向性）には関係なく様々な角度と方向から表示プレート内に光が入射する。なお、この構成では、発光ダイオードから出射する光のうち、直接表示プレート内に入射するものがあってもよい。
【００２０】
また、請求項５の発明は、請求項４に記載の表示装置において、前記反射部材は、前記フレームまたは／及び前記基板の表面に形成された光の反射層であることを特徴とする。上記発明によれば、反射層は、フレームまたは／及び基板の表面をメッキするなどにより容易に形成される。
【００２１】
また、請求項６の発明は、請求項１乃至請求項３の何れかに記載の表示装置において、前記光源部の光源はランプ型の発光ダイオードであり、この発光ダイオードは、その頭部が表示プレートの端面に臨むように略Ｌ字状の端子で前記基板に取り付けられていることを特徴とする。
【００２２】
上記発明によれば、光源部の光源にランプ型の発光ダイオードを用いているものの、発光ダイオードの端子を略Ｌ字状に折り曲げて基板に取り付けられているので、基板全体の板厚を薄くすることができる。また、表示プレートの端面に発光ダイオードの頭部が臨んで、発光ダイオードから出射する光は直接表示プレート内に入射する。
【００２３】
また、請求項７の発明は、請求項６に記載の表示装置において、前記フレームは、装着された表示プレートのうち前記発光ダイオードから所定距離の範囲内にある部分を覆い隠す目隠し部を有することを特徴とする。
【００２４】
上記発明によれば、発光ダイオードからの光は指向性を持って広がり、発光ダイオードの近くでは指向性の境界に沿って表示プレート上に光の筋が生じ易いが、そのような部分が目隠し部により覆い隠される。目隠し部は、不透明のほか透明度の低いスモーク状にしてもよい。
【００２５】
また、請求項８の発明に係わる表示装置は、遊技機を設置する島台に設けられる表示装置であって、光を拡散する模様を導光板に付した表示プレートと、前記表示プレートの端面に光を照射する発光ダイオードが少なくとも取り付けられた基板とを有し、前記表示プレートの端面または端面近傍に孔を穿設し、この孔に前記発光ダイオードが臨むように、前記基板をその板厚方向が前記表示プレートの板厚方向と同方向となるように前記表示プレートに付設したことを特徴とする。
【００２６】
上記発明によれば、表示プレートの端面または端面近傍に穿設された孔に発光ダイオードが臨んでいるので、発光ダイオードからの光は、孔の端面から入射して導光板内を伝播し、模様に衝突すると光が拡散されて導光板の外へ出射し、模様の部分が発光する。ここで発光ダイオードは基板に取り付けられており、この基板は、その板厚方向が表示プレートの板厚方向と同方向となるように表示プレートに付設されている。この構成では、請求項１の発明とほぼ同様に、板厚方向において基板が表示プレートから突出することがほとんどなく、また、表示プレートに光を照射するだけで、表示プレートを電気的に接続することなく、表示プレートの模様自体を発光することができる。また、表示プレートに照射する光の色を変えるだけで、模様の発光色が変わり、装飾効果を変化させることができる。
【００２７】
なお、請求項８の発明にて用いる発光ダイオードは表面実装型のものが望ましく、ランプ型の発光ダイオードを用いる場合には、請求項６の発明のように、発光ダイオードの頭部が孔の端面に臨むように、発光ダイオードの端子を略Ｌ字状に折り曲げて基板に取り付けるのが望ましい。
【００２８】
また、請求項９の発明は、請求項８に記載の表示装置において、前記発光ダイオードから出射する光を反射する反射部材を設け、この反射部材により光を反射させて前記孔の端面に光を照射することを特徴とする。
【００２９】
上記発明によれば、請求項４の発明とほぼ同様に、反射部材により発光ダイオードから出射する光を反射させて表示プレートの孔の端面に光を照射するようにしたので、発光ダイオードの視野角（指向性）には関係なく様々な角度と方向から表示プレート内に光が入射する。
【００３０】
また、請求項１０の発明は、請求項１乃至請求項９の何れかに記載の表示装置において、前記表示プレートの前記光源部からの光が入射する箇所を除く端面に反射材を設けたことを特徴とする。上記発明によれば、光源に臨む表示プレートの端面から入射した光は、他の端面で反射材によって反射されるので表示プレート外部に漏れにくくなる。
【００３１】
また、請求項１１の発明は、請求項１乃至請求項１０の何れかに記載の表示装置において、前記光源部からの光が入射される前記表示プレートの端面に、鏡面加工を施したことを特徴とする。上記発明によれば、光源部からの光が効率よく表示プレート内に入射される。たとえば、表示プレートの端面にバフ（磨き）をかけることで鏡面加工が実現される。
【００３２】
また、請求項１２の発明は、請求項１乃至請求項１１の何れかに記載の表示装置において、前記表示プレートはＬ字状に折り曲げてあって、その一片を前記島台のカウンタ部として使用し、他方の片を前記島台の腰板部として使用することを特徴とする。
【００３３】
上記発明によれば、Ｌ字状に折り曲げた導光板の一方の片がカウンタ部に、他方の片が腰板部として使用される。光はＬ字状に曲げた両片に伝播するので、１つの端面に光源を設ければよい。また、表示プレートの上面を強化ガラスで覆ったり保護材でコーティングしたりするとよい。
【００３４】
また、請求項１３の発明は、請求項１乃至請求項１２の何れかに記載の表示装置において、前記表示プレートを前記島台の腰板部として使用し、かつ前記光源部から入射された光がこの表示プレートの下端から出射するようにしたことを特徴とする。
【００３５】
上記発明によれば、表示プレートで構成した腰板部の下端から射出する光が足元照明に利用される。光の出射する端面を鏡面加工すれば出射する光量が増加する。反射材は、導光板の端面のうち、光源からの光を入射させる部分と足元照明として光を出射させる部分以外に設けるとよい。
【００３６】
また、請求項１４の発明は、請求項１乃至請求項１３の何れかに記載の表示装置において、前記光源部の点灯パターンを制御する制御部を備え、前記光源部は、出射する光の色を切り替え可能であり、前記制御部は、前記光源部が出射する光の色を切り替えることを特徴とする。
【００３７】
上記発明によれば、模様は受けた光を拡散して発光するので、照明する光の色を変えることで模様の発光色が変わる。たとえば、模様が光を拡散する白色の塗料で描かれている場合には、模様は照射された光の色で発光する。模様が赤や緑など特定の色で描かれている場合には、ほぼ模様の塗料の色と照射された光の色とを混合した色が模様の発光色になる。たとえば、光源として光の３原色を用意すれば、これらを組み合わせてフルカラー発光が可能になり、様々な色で模様を発光させることが可能になる。
【００３８】
また、請求項１５の発明は、請求項１乃至請求項１４の何れかに記載の表示装置において、前記表示プレートは、光を拡散する性質の塗料で模様を導光板に印刷したものであることを特徴とする。上記発明によれば、たとえば、光を拡散する性質の塗料をスクリーン印刷することにより、容易に模様を導光板に形成することができる。印刷された模様は、光源の発光色（波長）と模様の印刷色との関係により、導光板内の光を拡散して所定の色及び発光強度にて発光する。
【００３９】
また、請求項１６の発明は、請求項１乃至請求項１４の何れかに記載の表示装置において、前記表示プレートは、光を拡散する性質の塗料で模様を印刷したフィルムシートを導光板に貼着したものであることを特徴とする。上記発明によれば、光を拡散する性質の塗料で模様を印刷したフィルムシートを導光板に貼着することで、模様が導光板に形成される。フィルムシートを張り替えるだけで表示プレート上の模様やデザインの変更が可能になる。
【００４０】
模様はフィルムシートの表裏いずれに形成してもよい。導光板に貼着する面に模様を形成する場合には、フィルムシートは、透明でも不透明でもかまわないし、反射材の役割を兼ねるように構成してもよい。導光板に貼着する面と反対の面に模様を形成する場合は、フィルムシートは透明や無色透明が望ましい。またフィルムシートは、導光板の背面全体に貼着しても一部のみに貼着してもよい。
【００４１】
また、請求項１７の発明は、請求項１６に記載の表示装置において、前記フィルムシートは、模様の形に切り取られたものであることを特徴とする。上記発明によれば、模様の形にカットしたフィルムシートが導光板に貼着される。模様の形に正確にカットする必要はなく、模様の周囲にある程度の余裕を持たせてもよい。また、複数の模様の形に切り取られたフィルムシートを表示プレートに組み合わせて貼り付けるようにしてもよい。
【００４２】
また、請求項１８の発明は、請求項１乃至請求項１７の何れかに記載の表示装置において、前記表示プレートは、第１表示プレートと第２表示プレートとからなり、前記光源部は、前記第１表示プレートの端面に光を照射する第１光源部と前記第２表示プレートの端面に光を照射する第２光源部とからなり、前記第１表示プレートは前記第２表示プレートの前面側に位置し、この第１表示プレート及び第２表示プレートの一部または全部が重なり合って所定の模様が形成されることを特徴とする。
【００４３】
上記発明によれば、第１光源部及び第２光源部により第１表示プレート及び第２表示プレートに端面側から入射した光がそれぞれ導光板内を伝播し、模様に衝突すると光が拡散されて導光板の外へ出射し、模様の部分が発光する。つまり第１表示プレート及び第２表示プレートの一部または全部が重なり合って形成された所定の模様が発光する。
【００４４】
また、請求項１９の発明は、請求項１８に記載の表示装置において、前記第１光源部から出射された光が前記第２表示プレートの端面に、及び前記第２光源部から出射された光が前記第１表示プレートの端面に入射するのを防止する防止部材を有することを特徴とする。
【００４５】
上記発明によれば、第１光源部及び第２光源部から出射された光は指向性を持って広がるものの、防止部材により反射して、第１光源部から出射された光は第１表示プレートの端面に、第２光源部から出射された光は第２表示プレートの端面にのみ入射する。
【００４６】
また、請求項２０の発明は、請求項１８または請求項１９に記載の表示装置において、前記第１表示プレートと第２表示プレートとの隙間を覆う遮蔽部材を備えたことを特徴とする。上記発明によれば、第１表示プレートと第２表示プレートとを重ねたときに隙間ができても、遮蔽部材によりこの隙間が覆い隠される。なお遮蔽部材としては、テープやプレート等が考えられる。
【発明の効果】
【００４７】
請求項１の発明によれば、光源部から表示プレートの端面に光を照射することで表示プレートの模様自体が発光するので、発光しない箇所とのコントラストが強く、高い装飾効果を得ることができる。また、照射する光の色を変えることで模様自体の色を変更しなくても模様の発光色が変わるので、変化に富む装飾効果を得ることができる。
【００４８】
また、光源部が取り付けられた基板は、表示プレートの板厚方向に突出することがなく、奥行方向の出っ張りをなくした薄型でコンパクトな表示装置が設計可能となり、島台内の限られたスペース、特に板厚方向（奥行方向）のスペースに制約の大きい島台にとっては、極めて使い勝手がよい。
【００４９】
さらに、表示プレートの端面に光を照射するだけで模様自体が発光するので、表示プレートの交換や取り外しの際に配線を切り離したり接続し直したりする必要がなくなり、作業効率が向上する。また、表示プレートを取り替えることで模様を変更できるので、低コストでのデザイン変更が可能になる。
【００５０】
請求項２の発明によれば、請求項１の発明の効果に加え、島台に取り付けられるフレームで表示プレートを着脱可能に支持しているので、さらに表示プレートの交換や保守点検等が容易となり、取り扱いに優れる。
【００５１】
請求項３の発明によれば、請求項２の発明の効果に加え、欄間等に適用した表示装置を保守点検時に開閉しても、ワイヤハーネスが邪魔にならず作業性が向上する。また、基板を別途取り付ける必要がなく、表示プレートをフレームの定位置にセットするだけで、表示プレートの端面と光源部とを適正な位置に配置することができ、光の適切な照射状態が容易に確保される。
【００５２】
請求項４の発明によれば、請求項１乃至請求項３の何れかの発明の効果に加え、表示装置を極力薄く形成することができ、また、表示プレートの端面付近に生じる光の筋が発生することなく模様が適切に発光する。
【００５３】
請求項５の発明によれば、請求項４の発明の効果に加え、反射部材をメッキなどにより容易に形成することができる。
【００５４】
請求項６の発明によれば、請求項１乃至請求項３の何れかの発明の効果に加え、光源部の光源がランプ型の発光ダイオードであっても、表示装置を薄く形成することができる。
【００５５】
請求項７の発明によれば、請求項６の発明の効果に加え、表示プレート上で、光源部の近くに生じる光の筋が覆い隠されて、装飾効果が高まり見栄えが向上する。
【００５６】
請求項８の発明によれば、請求項１の発明の発明とほぼ同様な作用効果を奏する。
【００５７】
請求項９の発明によれば、請求項４の発明の発明とほぼ同様な作用効果を奏する。
【００５８】
請求項１０の発明によれば、請求項１乃至請求項９の何れかの発明の効果に加え、表示プレートの外部に光が漏れにくくなり、模様の発光強度を強めることができる。
【００５９】
請求項１１の発明によれば、請求項１乃至請求項１０の何れかの発明の効果に加え、光源部からの光を効率よく表示プレート内に入射させることができ、模様の発光強度を高めることができる。
【００６０】
請求項１２の発明によれば、請求項１乃至請求項１１の何れかの発明の効果に加え、１つの端面に設けた光源でカウンタ部の模様と腰板部の模様の双方を発光させることができ、別々に構成する場合に比べて低コスト化することができる。
【００６１】
請求項１３の発明によれば、請求項１乃至請求項１２の何れかの発明の効果に加え、腰板部として使用する表示プレートが足元照明の機能を併せ持ち、別途の光源を足元照明用に設置する場合に比べて島台の下部がすっきりと構成される。
【００６２】
請求項１４の発明によれば、請求項１乃至請求項１３の何れかの発明の効果に加え、照射する光の色を変えるだけで模様自体の色を変更しなくても模様の発光色が変わるので、簡易な装置構成でありながら、変化に富む高い演出効果及び装飾効果を得ることができる。
【００６３】
請求項１５の発明によれば、請求項１乃至請求項１４の何れかの発明の効果に加え、印刷するだけで表示プレートの模様を変えることができ、迅速且つ低コストでデザインの変更が可能になる。さらに、光源の発光色（波長）に対して適宜印刷色を選択することで、所望する色及び発光強度にて模様を発光させることができ、極めて装飾効果が高まる。
【００６４】
請求項１６の発明によれば、請求項１乃至請求項１４の何れかの発明の効果に加え、フィルムシートを張り替えるだけで表示プレートの模様を変えることができ、低コストでデザインの変更が可能になる。さらに、光源の発光色（波長）に対して適宜フィルムシートに印刷する色を選択することで、所望する色及び発光強度にて模様を発光させることができ、極めて装飾効果が高まる。
【００６５】
請求項１７の発明によれば、請求項１６の発明の効果に加え、模様の形にカットしたフィルムシートを導光板に貼着するようにしたので、貼着するフィルムシートの組み合わせ方や配置を変えるだけで様々なデザインの表示プレートを形成することができ、容易に装飾効果を高めることができる。
【００６６】
請求項１８の発明によれば、請求項１乃至請求項１７の何れかの発明の効果に加え、模様自体が発光する表示プレートが複数（２枚）あるので、それらの模様の組合せや発光態様により、より凝った演出効果の高い表示が可能となり、極めて高い装飾効果を得ることができる。
【００６７】
請求項１９の発明によれば、請求項１８の発明の効果に加え、適正な点灯パターンや点灯色にて表示プレートの模様を発光させることができる。
【００６８】
請求項２０の発明によれば、請求項１８または請求項１９の発明の効果に加え、第１表示プレートと第２表示プレートとを重ねたときに隙間ができても、遮蔽部材がこの隙間を覆い隠すので、第１表示プレートと第２表示プレートとの隙間から塵等が侵入するのを防止し、模様を適正に発光させることができる。すなわち遮蔽部材が防塵手段としての機能を果たす。
【発明を実施するための最良の形態】
【００６９】
以下、図面に基づき本発明の実施の形態を説明する。図１は、本発明の実施の形態に係わる表示装置８を欄間として取り付けたパチンコ島台１を示す斜視図である。パチンコ島台１には、パチンコ機２とパチンコ球を遊技者に貸し出す台間ユニット３とを一組にしたものが遊技に適した高さで横一列に並べて複数組収容されている。図１に示すパチンコ島台１は、両面にパチンコ機２が収容された両面島１ａである。このほかパチンコ島台には、片面だけに遊技機等を収容した壁島がある。
【００７０】
パチンコ島台１の上部（パチンコ機２の上方）には幕板７が掛け渡してあり、その上に欄間としての表示装置８が設けてある。幕板７には、パチンコ機２毎に呼出ランプ９が取り付けてある。表示装置８は、パチンコ機２と台間ユニット３とを一組にしたものを単位に設けてあり、表示装置８の横幅は１台のパチンコ機２とこれに並設された１台の台間ユニット３とを合わせた横幅になっている。
【００７１】
なお、図示していないが、パチンコ島台１の内部には、パチンコ球を循環したり貯留するための装置、あるいはパチンコ機２から排出されたパチンコ球を回収したり、パチンコ機２へパチンコ球を補給するための装置、さらには外部に設けられる管理コンピュータ等との通信ケーブルや各種電子部品や基板等が所狭しと設けられている。これは、遊技場のスペース効率を向上させるため（通路を広くしたり、より多くのパチンコ機を設置するため）、パチンコ島台１の厚みをなるべく細くしたいからである。
【００７２】
また、パチンコ機２の下方には、玉箱などを載せるためのカウンタ４が手前に突出して設けてある。カウンタ４の下方には腰板５が、さらにその下方から床面までの間には巾木６が設けてある。また、パチンコ島台１の左右両端には妻板１１が取り付けてある。妻板１１には、表示装置８の点灯パターンなどを設定するための子統合スイッチパネル２１（操作部）が設けてある。
【００７３】
図２は、パチンコ島台１に欄間として取り付けられた表示装置８の分解斜視図である。表示装置８は、フレーム１２と表示プレート２５（第１プレート２５ａ、第２プレート２５ｂ）とから構成されており、表示プレート２５はフレーム１２から容易に着脱可能になっている。なお、フレーム１２の背面から出ているワイヤハーネス１７は、フレーム１２に内蔵される後述のＬＥＤ基板とパチンコ島台１に設置された後述の個別制御基板とを電気的に接続するためのケーブルである。表示装置８は、フレーム１２の上部左右両端に設けた回転軸としての蝶番１３ａでパチンコ島台１の図示しない島柱に開閉可能に取り付けられる。
【００７４】
図３は、表示プレート２５を示す斜視図である。表示プレート２５は、同一サイズの第１プレート２５ａと第２プレート２５ｂとを２枚重ねにした構造をなしており第１プレート２５ａが前面側に位置し、第２プレート２５ｂが後面側に位置している。第１プレート２５ａと第２プレート２５ｂとには、後述の模様が印刷されており、両者が重なり会って所定の絵柄が表示プレート２５に表示されるようになっている。
【００７５】
図４は、フレーム１２を示す六面図及び断面図である。同図（Ａ）は正面図、（Ｂ）は背面図、（Ｃ）は右側面図、（Ｄ）は平面図、（Ｅ）は底面図、（Ｆ）は（Ａ）のＡ−Ａ断面図である。なお、左側面図は右側面図と同様に現れるので省略している。
【００７６】
図２及び図４に示すように、フレーム１２は、基部フレーム１３と、左右の側フレーム１４ａ、１４ｂと、背板１５とから構成されている。基部フレーム１３と側フレーム１４ａ、１４ｂとは全体でコの字状の枠をなしている。なお、図中１３ｂは、基部フレーム６３の前面板である。また、図４では蝶番１３ａは図示省略してある。
【００７７】
フレーム１２は、コの字の開放部分を下に向けた状態で、左右の側フレーム１４ａ、１４ｂの側間仕切り２２ａ、２２ｂで形成されるガイド溝に沿って第１プレート２５ａ及び第２プレート２５ｂの上から嵌め込み、基部フレーム１３の基部間仕切り２３で形成される図４（Ｅ）に示す嵌合溝５１ａ、５１ｂに表示プレート２５の上端部を嵌合するようになっている。従って第１プレート２５ａと第２プレート２５ｂとは、基部間仕切り２３の厚みだけ間隔をおいて重合するようにフレーム１２に取り付けられる。その後、側フレーム１４ａ、１４ｂに開設されている螺子穴１６ａ、１６ｂ、１６ｃ、１６ｄを通して図示省略の螺子でフレーム１２と表示プレート２５とを一体に固定するようになっている。
【００７８】
図４（Ｂ）に示す背板１５の上部に形成された切欠１８は、ヒートシンクの役割とワイヤハーネス１７を通過させる役割のために設けてある。また、図４（Ｅ）に示すように基部フレーム１３の左右端部内側にはストッパ片４７ａ、４７ｂ、４７ｃ、４７ｄが設けてある。ストッパ片４７ａ、４７ｂは、第１プレート２５ａをフレーム１２に装着したときに、ストッパ片４７ｃ、４７ｄは、第２プレート２５ｂをフレーム１２に装着したときに、第１プレートの下端面２４ａ、第２プレートの下端面２４ｂと当接して基部フレーム１３の内部に設けられる後述のＬＥＤ基板７０との間に適正なクリアランスを保つ（接触防止も含む）為に形成してある（図７参照）。なお背板１５は、所望の色で着色してもよい。
【００７９】
図５は、ＬＥＤ基板７０の正面図である。図５に示すように、本実施形態においてＬＥＤ基板７０には、赤ＬＥＤ７１ａと青ＬＥＤ７１ｂと緑ＬＥＤ７１ｃの３個を一組としたものが５組一列に並べて取り付けてある。各ＬＥＤ７１ａ、７１ｂ、７１ｃは表面実装型のものを使用している。図中７２は抵抗であり、またＬＥＤ基板７０の裏面側には、図示していない配線パターンがエッチングにより施されている。
【００８０】
ＬＥＤ基板７０の長さは、本実施形態のように赤ＬＥＤ７１ａ、青ＬＥＤ７１ｂ、緑ＬＥＤ７１ｃの組数が５組のときは、たとえば、６０〜２００ｍｍ程度の大きさにて作成可能である。つまりＬＥＤ基板７０の長さは、最小のもので１５ｍｍ（赤ＬＥＤ７１ａ、青ＬＥＤ７１ｂ、緑ＬＥＤ７１ｃの組数が１組）程度から作成でき、一方最大のものは、生基板（基板が切り出される前の基板）の寸法や強度・取り扱いの観点から３０ｍｍ未満が望ましく、それ以上に長くしたいときは、複数枚のＬＥＤ基板７０をコネクタ等で連結して用いるようにすればよい。一方ＬＥＤ基板７０の幅は、ＬＥＤ７１や抵抗７２、及びそれらの素子を結線する配線パターン等の大きさにより、最小でも１０ｍｍ程度の大きさが必要になる。
【００８１】
さらに、ＬＥＤ基板７０の表面には、ＬＥＤ７１の光を反射可能な反射層７４が設けられている。この反射層７４は、光を反射可能なものであれば特に材質などを限定するものではなく、たとえば基板上の導体層にハンダ等の金属メッキを施すことで形成してもよい。
【００８２】
図６（Ａ）は、フレーム１２（基部フレーム１３）内にＬＥＤ基板７０を設置した状態を示す底面図であり、図６（Ｂ）は、フレーム１２（基部フレーム１３）内にＬＥＤ基板７０を設置した状態を示す正面図である。なお、図６（Ｂ）は基部フレーム１３の前面板１３ｂ（二点鎖線で示す部分）を取り除いた状態を示している。図６に示すように、ＬＥＤ基板７０は、嵌合溝５１ａ（図４（Ｅ）参照）内のストッパ片４７ａ、４７ｂ間、嵌合溝５１ｂ（図４（Ｅ）参照）内のストッパ片４７ｃ、４７ｄ間に嵌合した状態となっており、すなわち第１プレート２５ａに対応するＬＥＤ基板７０は、嵌合溝５１ａ内において前面板１３ｂ、基部間仕切り２３、ストッパ片４７ａ、４７ｂとで形成される箇所に、その裏面側が基部間仕切り２３に付設されるように立設して装着され、一方第２プレート２５ｂに対応するＬＥＤ基板７０は、嵌合溝５１ｂ内において背板１５、基部間仕切り２３、ストッパ片４７ｃ、４７ｄとで形成される箇所に、その裏面側が背板１５に付設されるように装着されている。
【００８３】
しかして前面板１３ｂの裏面、ストッパ片４７ａの左側面、ストッパ片４７ｂの右側面、及び基部間仕切り２３の裏面、ストッパ片４７ｃの左側面、ストッパ片４７ｄの右側面には、ＬＥＤ７１の光を反射可能な反射層２９ａ、２９ｂが設けられている。この反射層２９ａ、２９ｂは、前記した反射層７４と同様、光を反射可能なものであれば特に材質などを限定するものではない。
【００８４】
つまり嵌合溝５１ａ、５１ｂの内部において、ＬＥＤ７１が点灯すると、このＬＥＤ７１から出射された光は、反射層７４と反射層２９ａ、２９ｂとによって乱反射するようになっている。なお、ＬＥＤ７１を点灯した際の熱は背板１５に開設された切欠１８（図４（Ｂ）参照）から外部へ放出される。
【００８５】
図７は、表示プレート２５（第１プレート２５ａ、第２プレート２５ｂ）をフレーム１２に取り付けた状態の表示装置８をその内部構造とともに示した正面図である。第１プレートの上端２４ａがストッパ片４７ａ、４７ｂに、第２プレートの上端２４ｂがストッパ片４７ｃ、４７ｄに突き当たることで、第１プレート２５ａと第２プレート２５ｂとが重なり合って所定の絵柄が表示されると共に、嵌合溝５１ａ、５１ｂがほぼ密閉状態にされる。また、各ＬＥＤ７１と表示プレート２５の上端（第１プレートの上端２４ａ、第２プレートの上端２４ｂ）との間にわずかなクリアランスが確保される。
【００８６】
なお、図６及び図７のでは、便宜上、ＬＥＤ基板７０は１枚で図示してあるが、表示装置８は図１に示したようにほぼパチンコ機２の幅大に形成されるもので、従ってＬＥＤ基板７０は、実際には複数枚を連結したもの（たとえば、長さ２００ｍｍ×３枚）が使用される。但し、以降の説明においても、ＬＥＤ基板７０は、便宜上、１枚として説明することにする。
【００８７】
また、図２に示したように、表示装置８は上部の蝶番１３ａで回転可能にパチンコ島台１に取り付けられ、ＬＥＤ基板７０は図７に示すように表示装置８の回転軸側に内蔵されている。このため蝶番１３ａを中心に表示装置８を開閉してもＬＥＤ基板７０の位置があまり変位せず、ワイヤハーネス１７が短くて済み、かつ配線等が容易になる。
【００８８】
図８は、第１プレート２５ａ、反射テープ２６ａ、反射シート２７の分解斜視図である。第１プレート２５ａの周縁部には、反射テープ２６ａが貼着され、第１プレート２５ａの裏面側には模様３０ａが印刷されると共に、この模様３０ａに重なる部分のみに反射シート２７が貼着される。なお反射テープ２６ａは、ＬＥＤ７１からの光が入射する箇所となる第１プレートの上端２４ａには形成されないようになっている。
【００８９】
図９は、第２プレート２５ｂ、反射テープ２６ｂ、反射シート２８の分解斜視図である。第２プレート２５ｂは第１プレート２５ａと同一の形状にて形成され、第２プレート２５ｂの周縁部には、反射テープ２６ｂが貼着され、第２プレート２５ｂの裏面側には模様３０ｂが印刷されると共に、第２プレート２５ｂとほぼ同じ大きさの反射シート２８が貼着される。
【００９０】
反射シート２７、２８は、白色や光沢のある色が着色されたシートであればよい。また、第１プレート２５ａにおいては、第１プレート２５ａとほぼ同じ大きさの透明の反射シート２７に、模様（印刷部）３０ａに重なる部分のみ白色や光沢のある色を着色するようにしてもよい。さらに第２プレート２５ｂにおいては、模様（印刷部）３０ｂに重なる部分のみに反射シート２８を設け、それ以外の箇所に所望の背景色を施すようにしてもよい。つまり反射シート２７は、模様（印刷部）３０ａの発光強度を向上させると共に、第１プレート２５ａと第２プレート２５ｂとを重ね合わせたとき、第２プレート２５ｂの模様（印刷部）３０ｂが透視できることが必要であり、一方反射シート２８は、最低限、模様（印刷部）３０ｂの発光強度を向上させればよい。
【００９１】
反射テープ２６ａ、２６ｂは、反射シート２７、２８と同様、白色や光沢のある色が着色されたテープであればよい。これらにより、第１プレート２５ａ、第２プレート２５ｂの内部を通過する光が外界との境界で反射されて外部への漏れが防止され、模様（印刷部）３０ａ、３０ｂの発光強度を向上する。
【００９２】
導光板としての第１プレート２５ａ、第２プレート２５ｂは、肉厚が数ミリ程度（たとえば２〜５ｍｍ）にて形成されており、その裏側（反射シート２７、２８側）には光を拡散する模様（発光部）としての印刷部３０ａ、３０ｂがスクリーン印刷されている。この印刷に使用される塗料（インキ）は、拡散反射特性を有し散乱材を含有するもので、材料としては、パール材やガラス、ビーズ顔料、白色顔料等があり、さらに拡散性や発色性を持たせ発光強度を向上させるため有機蛍光誘導体と非有機系化合物を加えるようにしてもよい。
【００９３】
具体的には、シリコーン樹脂粒子やポリスチレン樹脂粒子等の透明有機樹脂粒子、Ａｌ２Ｏ３、ＴｉＯ２、ＳｉＯ２等の金属酸化物粒子、ＢａＳＯ４等の硫酸塩粒子、ＣａＣＯ３等の炭酸塩粒子、ガラス微粉末やガラスバルーンなどの無機化合物粒子、ミクロエアーセル等が挙げられ、これらを単独でまたは２種以上を併用して使用することができる。
【００９４】
反射効率や塗料の印刷性等を考慮した場合、これら材料の粒子の平均粒径は０．０１〜２０μｍ程度、特に０．０５〜１μｍ程度であることが好ましく、また、光反射層中の含有量は０．５〜５０重量％程度、特に３〜２０重量％程度であることが好ましい。なお、塗料は、アクリル樹脂、ウレタン樹脂、エポキシ樹脂等の熱硬化性樹脂、あるいはアクリル系、ゴム系、エラストマー系等の粘着剤をバインダーとするものを用いることができる。
【００９５】
なお、印刷は、スクリーン印刷以外に、たとえばオフセット印刷、グラビヤ印刷、凸版印刷、パッド印刷、インクジェット印刷等の印刷方式を採用でき、好ましくは表示プレート５５の成型工程において、インライン方式で印刷するのがよい。また、印刷の厚さは、過度に薄いと光反射効率が十分でなく、逆に過度に厚くても光反射効率には大差がないにもかかわらず、印刷コストの高騰や印刷の剥離の問題も生じてくるため、これらを勘案して適切に選択するのが好ましく、通常は２０〜２００μｍ程度の厚さとすることが好ましい。
【００９６】
また、表示プレート５５を構成する導光板の材料としては、屈折率が高い透明材料が用いられ、メタクリル樹脂（ＰＭＭＡ）、アクリル樹脂等が好ましく、それ以外にもプラスチック、エラストマーなどの中から目的に応じて適宜選択することができ、たとえば、ポリスチレン、スチレン・メチルメタクリレート共重合体、ポリメチルペンテン、アリルグリコールカーボネート樹脂、スピラン樹脂、アモルファスポリオレフィン、ポリカーボネート、ポリアミド、ポリアリレート、ポリサルホン、ポリアリルサルホン、ポリエーテルサルホン、ポリエーテルイミド、ポリイミド、ジアリルフタレート、フッ素樹脂、ポリエステルカーボネート、ノルボルネン系樹脂（ＡＲＴＯＮ）、脂環式アクリル樹脂（オプトレッツ）、シリコーン樹脂、アクリルゴム、シリコーンゴム等の透明材料が挙げられる。
【００９７】
また、導光板（メタクリル樹脂、アクリル樹脂）の製法としては、セルキャスト製法や押出し製法があり、製造過程の違いから押出し板はキャスト板に比べ分子量が低く、物性的に耐熱温度・耐衝撃性・表面硬度などが若干劣るものの、熱成形しやすいメリットがあり、この製法についても目的に応じて適宜選択すればよい。本実施の形態では、キャスト板を使用している。
【００９８】
このように表示プレート２５（第１プレート５５ａ、第２プレート５５ｂ）は、光を拡散する模様３０ａ、３０ｂである発光部を印刷により形成できるので、自由な色で様々な文字やデザインを発光部として極めて容易に採用できるようになる。
【００９９】
ここで、図１０を参照しながら、ＬＥＤ７１から発せられた光が第１プレート２５ａ、第２プレート２５ｂ内部に入射する過程を説明する。図１０に示すように、２列に設置されたＬＥＤ７１から発せられる光は、ほぼ密閉状態の嵌合溝５１ａ、５１ｂ（図４（Ｅ）参照）内において反射層２９ａ、２９ｂと反射層７４とに衝突して乱反射し、最終的に必ず対応する第１プレートの上端２４ａ及び第２プレートの上端２４ｂから第１プレート２５ａ、第２プレート２５ｂ内部に入射光３１として入射するようになっている。なお、基部間仕切り２３が隣のＬＥＤ７１からの入射光３１の侵入を防止する防止部材としての機能を果たしており、これにより、第１プレート２５ａ及び第２プレート２５ｂの後述する点灯制御を適正なものとしている。なお、図１０は、基部フレーム１３内に２列に設置されたＬＥＤ７１から発せられる光が、反射層２９ａ、２９ｂ及び反射層７４に反射して第１プレート２５ａ、第２プレート２５ｂ内部に入射する様子を示す断面図である。
【０１００】
つまり本実施の形態においては、図１０に示すように、ＬＥＤ基板７０を立設して基部フレーム１３内に形成しているので、換言すれば、ＬＥＤ基板７０は、その板厚方向が表示プレート２５の板厚方向と同方向で、表示プレートの上端面２４から連なるように設けられているので、ＬＥＤ７１から発せられた光は、第１プレート２５ａ、第２プレート２５ｂ内部に直接入射したり、あるいは反射層２９ａ、２９ｂ及び反射層７４により乱反射して間接入射するようになっており、すなわちＬＥＤ７１から発せられた光は、様々な角度と方向から第１プレート２５ａ、第２プレート２５ｂ内部に入射するようになっている。そしてこれは、次のような効果を奏する。
【０１０１】
すなわち、たとえば図１１（Ａ）に示すように、ＬＥＤ基板７０を横設してＬＥＤ７１から発せられる光を表示プレート２５（第１プレート２５ａ、第２プレート２５ｂ）内部に直接入射させるもののみにすると、図１１（Ａ）において赤ＬＥＤ７１ａに注目すると、斜線部５９で示す部分にはいずれの赤ＬＥＤ７１ａからも直接光が到達していない。直接光が到達する部分と到達しない部分では明暗の差が大きいので、光の筋が生じてしまう。これは、ＬＥＤ７１には所定の視野角（指向性）があるからである。そして、このような斜線部５９上に模様３０ａ、３０ｂがあると、模様３０ａ、３０ｂは適切に発光しなくなる。一方本実施の形態のように反射層２９ａ、２９ｂ及び反射層７４により乱反射させて表示プレート２５内部に間接入射させるものは、ＬＥＤ７１の視野角には関係なく様々な角度と方向から入射するので、このような光の筋を生じることがなく、従って模様３０ａ、３０ｂは適切に発光する。
【０１０２】
さらに図１１（Ｂ）に示すように、ＬＥＤ基板７０を横設した場合には、前記したようにＬＥＤ基板７０の幅は最小でも１０ｍｍ程度の大きさが必要になるため、たとえば表示プレート２５の肉厚が２〜５ｍｍ程度のものでは、ＬＥＤ基板７０が表示プレート２５から奥行方向に突出してしまい、すなわち表示装置８の厚みが増し、表示装置８の使い勝手が悪いものになってしまう。一方本実施の形態のようにＬＥＤ基板７０を立設するようにすれば、すなわちＬＥＤ基板７０を、その板厚方向を表示プレート２５の板厚方向と同方向で、表示プレートの上端面２４から連なるように設ければ、表示装置８の厚みが増すことはなく、コンパクトで極めて取り扱い易いものとなる。なお、図１１（Ａ）は、ＬＥＤ基板７０を横設した場合のＬＥＤ７１の指向性と表示プレート２５内の照射領域との関係を示す正面図、図１１（Ｂ）は、図１１（Ａ）の側面図である。
【０１０３】
図１２は、ＬＥＤ７１から入射した光の第１プレート２５ａ、第２プレート２５ｂ内部における伝播経路を示しており、ＬＥＤ７１から発せられた光は、一例として入射光３１に示すように第１プレート２５ａ、第２プレート２５ｂの内部を通過し、第１プレート２５ａ、第２プレート２５ｂの縁部に到達した入射光３１は、反射テープ２６ａ、２６ｂで反射して再び第１プレート２５ａ、第２プレート２５ｂの内部を通過する。
【０１０４】
そして、このように第１プレート２５ａ、第２プレート２５ｂ内部に入射した入射光３１が、上記したような経路を辿る過程で印刷部３０ａ、３０ｂに到達すると、前記拡散反射特性により図１３に示すような拡散した反射光３２が発生し、この光が表示プレート２５の外部に出射し、印刷部３０ａ、３０ｂが発光するように見える。なお、ＬＥＤ７１が臨む第１プレートの端面２４ａ、第２プレートの端面２４ｂは、バフ（磨き…鏡面加工）をかけるのが好ましく、これによりさらに模様（印刷部）３０ａ、３０ｂの発光強度が増す。なお、図１３は、ＬＥＤ７１から入射した光が印刷部３０ａ、３０ｂで乱反射する様子を示している。
【０１０５】
図１４は、表示装置８の模様（印刷部）３０ａ、３０ｂが発光する様子を模式的に示したものである。表示プレート２５（第１プレート２５ａ、第２プレート２５ｂ）全体が光るのではなく、表示プレート２５（第１プレート２５ａ、第２プレート２５ｂ）に付した模様（印刷部）３０ａ、３０ｂだけが光るので、高い装飾効果を得ることができる。
【０１０６】
ところで、模様（印刷部）３０の発光色は、印刷部３０の印刷色とＬＥＤ７１の発光色（波長）とにより決定される。すなわち、印刷部３０の印刷色が無色や白色であれば、ほぼＬＥＤ７１の発光色が模様（印刷部３０）の発光色になる。印刷部３０の印刷色が有色であれば、ほぼ印刷部３０の印刷色とＬＥＤ７１の発光色とを混合した色が模様（印刷部３０）の発光色になる。またＬＥＤ７１の発光色が白色であれば、ほぼ印刷部３０の印刷色が模様（印刷部３０）の発光色となる。
【０１０７】
図１５は、ＬＥＤ７１の発光色（波長）と模様（印刷部）３０の印刷色との組み合わせ方と印刷部３０の発光強度との関係を示す説明図である。図中の「Ａ」は発光強度が強いことを、「Ｂ」はやや強いことを、「Ｃ」はやや弱いことを、「Ｄ」は非常に弱いことを、「Ｅ」が発光しないことをそれぞれ表している。
【０１０８】
模様（印刷部）３０の発光強度は、ＬＥＤ７１の発光色（波長）と印刷部３０の印刷色の双方に依存している。印刷部３０の印刷色が黒色（若しくはそれに近い色）の場合には、ＬＥＤ７１の発光色にかかわらず黒となり、模様（印刷部３０）はほとんど発光しない。また、ＬＥＤ７１の発光色と印刷部３０の印刷色とが同じ場合には発光強度が強く、ＬＥＤ７１の発光色と印刷部３０の印刷色とが補色の関係に近づくほど発光強度は弱くなる。
【０１０９】
たとえば、ＬＥＤの色が「赤」で印刷色が「緑」や「青」の場合は、補色の関係あるいは補色に近い関係であるので発光強度は非常に弱い「Ｄ」になっている。またＬＥＤの色が「青」で印刷色がその補色の「赤」の場合にも発光強度はやや弱い「Ｃ」になる。したがって、たとえば第１プレート２５ａに青の模様と赤の模様とを印刷しておき、点灯するＬＥＤの色を青と赤とに切り替えれば、赤ＬＥＤの点灯時には赤の模様だけが発光し、青ＬＥＤの点灯時にはほぼ青の模様だけが発光するので、発光する箇所が切り替わり、変化に富む装飾効果を得ることが可能になる。
【０１１０】
図１６は、パチンコホールの平面模式図の一例である。同図では、左右両側の壁面に沿って壁島１ｂが設けてあり、これらの中央に両面島１ａが設けてある。遊技機島には、親島と子島とがあり、親島（図中で左の壁島１ｂ）には、親統合制御基板８０が、子島には子統合制御基板９０が取り付けてある。これらは表示装置８の点灯パターンを制御する回路である。各島に設置された親統合制御基板８０及び子統合制御基板９０は、通路２２を跨ぐハーネス８８で互いに接続されている。この接続は、床下や天井裏等を介して行われる。
【０１１１】
各島の親統合制御基板８０や子統合制御基板９０には、島内部に掛け渡したケーブルを通じて多数の個別制御基板６０がカスケード接続されている。図１６に示すものでは２台のパチンコ機に１台の割合で個別制御基板６０が設置されている。各個別制御基板６０には、表示装置８のＬＥＤ基板７０がワイヤハーネス１７を通じて接続されている。また、各パチンコ機２に対応付けて設けた呼出ランプ９も接続される。
【０１１２】
図１７は、子統合制御基板９０の回路構成を示すブロック図であり、図１８は、子統合スイッチパネル２１の正面図である。子統合制御基板９０は、当該装置の動作を統括制御するためのＣＰＵ（中央処理装置）９１を有し、そのバス９４にＲＯＭ（リード・オンリ・メモリ）９６と、ＲＡＭ（ランダム・アクセス・メモリ）９７と、入力回路９２と、出力回路９３とが接続されている。入力回路９２には、親統合制御基板８０と、子統合スイッチパネル２１に配置された大当り点灯パターン設定スイッチ３５と、点灯色設定スイッチ３６と、通常点灯パターン設定スイッチ３７と、グルーピング設定スイッチ３８とが接続されている。また出力回路９３には自島の個別制御基板６０と、子統合スイッチパネル２１に配置された７セグ表示器３４とが接続されている。
【０１１３】
子統合スイッチパネル２１の各スイッチ３５〜３８はプッシュ式で、１回押すたびに７セグ表示器３４の表示が「１」〜「６」へと順に変化するようになっている。大当り点灯パターン設定スイッチ３５は、自島の欄間（表示装置）８における大当り（確変や時短時でもよい）点灯パターンを予め定めた６通りの中のいずれかに設定するスイッチである。点灯色設定スイッチ３６は、自島の欄間（表示装置）８における点灯色を６通りの中のいずれかに設定するスイッチである。通常点灯パターン設定スイッチ３７は、通常時（大当り、確変、時短時以外）の点灯パターンを６通りの中からいずれかに設定できるスイッチである。
【０１１４】
グルーピング設定スイッチ３８は、子統合制御基板９０が管理するこの島のグループ番号を設定するスイッチである。７セグ表示器３４は選択されたグループ番号を示しており、同じ番号に設定された島同士が同じグループにグルーピングされる。
【０１１５】
図１９は、親統合制御基板８０の回路構成を示すブロック図であり、図２０は、親統合スイッチパネル２０の正面図である。親統合制御基板８０は、子機（子統合制御基板９０）を統括制御する親機としての機能のほかに、自島に対しては子機としての機能も果たす。
【０１１６】
親統合制御基板８０は、当該装置の動作を統括制御するためのＣＰＵ８１を有し、そのバス８４にＲＯＭ８６と、ＲＡＭ８７と、入力回路８２と、出力回路８３とが接続されている。入力回路８２には、親統合スイッチパネル２０に配置された大当り点灯パターン設定スイッチ３５と、点灯色設定スイッチ３６と、通常点灯パターン設定スイッチ３７と、グルーピング設定スイッチ３８と、グルーピング指定スイッチ３９と、グルーピング点灯オン・オフスイッチ４０と、グルーピング点灯パターン設定スイッチ４１とが接続されている。また出力回路８３には他の島の子統合制御基板９０と、自島の個別制御基板６０と、親統合スイッチパネル２０に配置された７セグ表示器３４とが接続されている。
【０１１７】
親統合スイッチパネル２０の各スイッチ３５〜３９はプッシュ式で、１回押すたびに７セグ表示器３４の表示が「１」〜「６」へと順に変化するようになっている。大当り点灯パターン設定スイッチ３５及び点灯色設定スイッチ３６、通常点灯パターン設定スイッチ３７、グルーピング設定スイッチ３８は子統合制御基板９０と同一である。グルーピング指定スイッチ３９及びグルーピング点灯オン・オフスイッチ４０、グルーピング点灯パターン設定スイッチ４１は、親統合制御基板８０のみに設けられるスイッチである。これらを用いて、特定のグループに属する複数の島の表示装置８に特定の点灯パターンを強制的に点灯（グルーピング点灯）させることができる。
【０１１８】
グルーピング指定スイッチ３９は、グルーピング点灯させる（アクティブにする）グループ番号を指定するスイッチである。グルーピング点灯オン・オフスイッチ４０がオンすると、各島におけるスイッチ３５、３６、３７の設定を無効化し、グルーピング指定スイッチ３９にて指定されたグループ番号を持つ島でグルーピング点灯が実行される。グルーピング点灯で用いる点灯パターン及びＬＥＤの点灯色は、予め定めた複数種類（ここではＡ、Ｂ、Ｃ）の中からグルーピング点灯パターン設定スイッチ４１によって選択される。グルーピング点灯の使い道としては、たとえば、島（機種）毎のサービスタイムやレディースコーナーの報知等が挙げられる。
【０１１９】
なお親統合制御基板８０は、子統合制御基板９０へ同期信号を出力しており、各島が同じタイミングで点灯、点滅、フェードイン・フェードアウト（以下、グラデーションという）または消灯等をするようになっている。さらに親統合制御基板８０は、自島の個別制御基板６０にも同期信号を出力しており、各パチンコ機２に対応する欄間（表示装置）８が上記と同様に同じタイミングで点灯等をするようになっている。
【０１２０】
図２１は、個別制御基板６０の回路構成を示すブロック図である。個別制御基板６０は、当該装置の動作を統括制御するためのＣＰＵ６１を有し、そのバス６４にＲＯＭ６６と、ＲＡＭ６７と、入力回路６２と、出力回路６３とが接続されている。入力回路６２には、親統合制御基板８０と子統合制御基板９０のうちその島に設置されているものが接続される。また入力回路６２には、同じ島内の隣の個別制御基板６０と、呼出ランプ９とが接続される。出力回路６３には、同じ島内の隣の個別制御基板６０と、各パチンコ機２に対応付けて設けた表示装置８のＬＥＤ基板７０とが接続される。表示装置８は、ＬＥＤ基板７０が２組並列に出力回路６３に接続され、この並列に接続された２組のＬＥＤ基板７０は、一方が第１プレート２５ａに臨み、他方が第２プレート２５ｂに臨んでいる。
【０１２１】
呼出ランプ９からは大当り（確変や時短）信号が入力され、この大当り信号が入力されると、個別制御基板６０は、通常時の点灯パターンに代えて大当り点灯パターンを実行する。また大当り信号（またはランニング信号）が入力されると、ランニング点灯処理が実行され、隣の個別制御基板６０にランニング信号を出力するようになっている。ランニング点灯処理とは、島台に設置されている複数の表示装置８を連携動作させて島の端から端へと光が走るように点灯箇所を移動させる点灯制御をいう。ランニング点灯は、他の点灯パターンの点灯制御中に割り込み点灯として行われる。
【０１２２】
図２２は、各スイッチ３５〜３９に対応する７セグ表示器に表示される数字、スイッチ４１の設定ＡＢＣと欄間（表示装置）８の点灯パターンまたは点灯色、及びランニング時の点灯色との関係を示す点灯パターン一覧表３１０を示している。大当り点灯パターン設定スイッチ３５で選択可能な６つの点灯パターンは、いずれも初期の高速点滅とその後の低速点滅とを組み合わせたものであり、点滅周期の長さが異なっている。すなわち第１プレート２５ａ及び第２プレート２５ｂは、大当りの初期においては同期して８０〜１３０ｍｓｅｃの高速点滅を１０秒間実行し、その後大当り終了まで１〜２秒間づつ交互に低速点滅する。
【０１２３】
点灯色設定スイッチ３６で選択可能な６通りの点灯色は、第１プレート２５ａと第２プレート２５ｂとの点灯色の組合せが、赤と白、青と白、緑と白、橙と白、紫と白、水色と白の６色の組合せ中のいずれかを選択することができる。第１プレート２５ａ及び第２プレート２５ｂの点灯色は、対応するＬＥＤ７１の点灯制御に基づくもので、赤、青、緑は赤ＬＥＤ７１ａ、青ＬＥＤ７１ｂ、緑ＬＥＤ７１ｃの単独点灯、橙は赤ＬＥＤ７１ａと緑ＬＥＤ７１ｃとの同時点灯、紫は赤ＬＥＤ７１ａと青ＬＥＤ７１ｂとの同時点灯、水色は青ＬＥＤ７１ｂと緑ＬＥＤ７１ｃとの同時点灯、白は赤ＬＥＤ７１ａと青ＬＥＤ７１ｂと緑ＬＥＤ７１ｃとの同時点灯で発色する。なお、ここでの説明では、模様（印刷部）３０ａ、３０ｂは全て白色で印刷されているものとし、つまり第１プレート２５ａ及び第２プレート２５ｂの点灯色は、ＬＥＤ７１の発光色と同じとなる。
【０１２４】
点灯色設定スイッチ３６を操作すると、点灯色と同時にランニング点灯時の点灯色も設定される。点灯色の組合せが赤と白の場合には、ランニング点灯時の点灯色は第１プレート２５ａ、第２プレート２５ｂ共に青に設定される。同様に点灯色の組合せが青と白のときはランニング点灯色が緑に、点灯色の組合せが緑と白のときはランニング点灯色が赤に、点灯色の組合せが橙と白のときはランニング点灯色が青に、点灯色の組合せが紫と白のときはランニング点灯色が緑に、点灯色の組合せが水色と白のときはランニング点灯色が赤にそれぞれ設定される。
【０１２５】
ランニング点灯処理は、欄間（表示装置）８が所定の点灯パターンを実行している途中に割り込んで行われる。そこで、ランニング点灯色は、第１プレート２５ａの点灯で使用していないＬＥＤの色に設定してある。たとえば、点灯色設定スイッチ３６にて第１プレート２５ａに橙が設定されているとき（７セグ表示器３４に「４」が表示）のランニング点灯色を青にしている。橙は赤のＬＥＤと緑のＬＥＤの２つで発色させているので、橙の発色に使用していない青にすることで色の差が大きくなり、ランニング点灯を目立たせることができるからである。同様な理由で、紫のときはランニング時の点灯色を緑とし、水色のときはランニング時の点灯色を赤としている。このように色の違いを目立つようにすることで装飾効果が高まる。
【０１２６】
通常点灯パターン設定スイッチ３７で選択可能な６つの点灯パターンは、常時点灯、第１プレート２５ａと第２プレート２５ｂとで所定時間のタイムラグ３〜６秒を設けたグラデーション６〜１０秒、常時消灯である。グラデーションとは、徐々に色の濃淡をつけて点灯または消灯する態様である。
【０１２７】
グルーピング点灯パターン設定スイッチ４１で選択可能な３通りの点灯パターン及び点灯色は、第１プレート２５ａと第２プレート２５ｂとの点灯色の組合せが、赤水色と白、青橙と白、緑紫と白の組合せで、点灯パターンが第１プレート２５ａでは８０〜１２０ｍｓｅｃの交互高速点滅５〜９秒と交互グラデーション６〜１０秒との繰り返し、第２プレート２５ｂでは８０〜１２０ｍｓｅｃの高速点滅５〜９秒と１〜２秒の低速点滅１２〜２０秒との繰り返しとなる。なお高速点滅時では、第１プレート２５ａと第２プレート２５ｂとは交互高速点滅となる。またグルーピング点灯パターン設定スイッチ４１を操作すると、点灯パターン及び点灯色と同時にランニング点灯時の点灯色も設定される。
【０１２８】
ここでグルーピング点灯パターン設定スイッチ４１における点灯パターンまたは点灯色において、第１プレート２５ａを赤と水色、青と橙、緑と紫を交互点灯させるのは、上記ランニング点灯の説明と同様な理由で目立つからである。
【０１２９】
また、点灯パターンまたは点灯色の種類は上記に限定されるものではなく、たとえば色等は赤ＬＥＤ７１ａ、青ＬＥＤ７１ｂ、緑ＬＥＤ７１ｃを同時点灯してさらに種類を増やすようにしてもよい。なお色の調節は、点灯するＬＥＤの組み合わせ方や各ＬＥＤの発光強度を変えることで無限に可能になる。たとえば、ＬＥＤ７１に流す電流の値やオン時間を抵抗値やソフトにて制御することで発光強度を調整することができる。
【０１３０】
図２３は、親統合制御基板８０が行う制御処理の流れを示している。電源投入直後、ＣＰＵ８１は初期化処理にて、スタックの設定や以下の処理に必要な各フラグ、各レジスタ及び各記憶エリアの初期化を行う（ステップＳ４０１）。次に、各スイッチ３５〜３９の入力（操作）があれば（ステップＳ４０２；Ｙ）、該当する７セグ表示器３４に数値を表示し（ステップＳ４０３）、現時点での各スイッチ３５〜３８の設定状態に対応する基本点灯コマンドやグルーピング信号を自島の個別制御基板６０に出力する（ステップＳ４０４）。
【０１３１】
その後もしくは各スイッチ３５〜３９の入力がないときは（ステップＳ４０２；Ｎ）、グルーピング点灯オン・オフスイッチ４０がＯＮか否かを調べ、ＯＮの場合は（ステップＳ４０５；Ｙ）、子統合制御基板９０にグルーピング指定スイッチ３９及びグルーピング点灯パターン設定スイッチ４１の設定状態に対応するグルーピング信号及びグループ点灯コマンドを出力する（ステップＳ４０６）。
【０１３２】
その後、自島がグルーピング指定スイッチ３９で指定されたグループに設定されているかを調べ、グルーピング指定スイッチ３９で指定されたグループに自島が属するときは（ステップＳ４０７；Ｙ）、自島の個別制御基板６０にグルーピング点灯パターン設定スイッチ４１の入力に対応するグループ点灯コマンドを出力して（ステップＳ４０８）処理を終了する。ステップＳ４０７の判定は、グルーピング設定スイッチ３８の設定とグルーピング指定スイッチ３９の指定が同じか否かで行う。
【０１３３】
グルーピング点灯オン・オフスイッチ４０がＯＦＦの場合（ステップＳ４０５；Ｎ）及び自島がグルーピング指定スイッチ３９で指定されたグループに属していないときは（ステップＳ４０７；Ｎ）その時点で本処理を終了する（エンド）。なお本処理は、ステップＳ４０１の初期化処理を除き、所定の周期（数ミリ秒）で繰り返し実行される。
【０１３４】
図２４は、子統合制御基板９０が行う制御処理の流れを示している。電源投入直後、ＣＰＵ９１は初期化処理にて、スタックの設定や以下の処理に必要な各フラグ、各レジスタ及び各記憶エリアの初期化を行う（ステップＳ４２１）。次に、各スイッチ３５〜３８の入力があれば（ステップＳ４２２；Ｙ）、該当する７セグ表示器３４に数値を表示し（ステップＳ４２３）、現時点での各スイッチ３５〜３８の設定状態に対応する基本点灯コマンドやグルーピング信号を自島の個別制御基板６０に出力する（ステップＳ４２４）。
【０１３５】
その後もしくは各スイッチ３５〜３８の入力がないときは（ステップＳ４２２；Ｎ）、グループ信号、グループ点灯コマンドが親統合制御基板８０から入力されたか否かを調べ、入力ありの場合は（ステップＳ４２５；Ｙ）、そのグループ信号が示すグループに自島が属しているか否かを調べ、属するときは（ステップＳ４２６；Ｙ）、自島の個別制御基板６０にグルーピング点灯パターン設定スイッチ４１の入力に対応するグループ点灯コマンドを出力して（ステップＳ４２７）処理を終了する。
【０１３６】
グループ信号、グループ点灯コマンドの入力がないとき（ステップＳ４２５；Ｎ）または入力されたグループ信号が示すグループに自島が属していないときは（ステップＳ４２６；Ｎ）その時点で本処理を終了する（エンド）。なお本処理は、ステップＳ４２１の初期化処理を除き、所定の周期（数ミリ秒）で繰り返し実行される。
【０１３７】
図２５は、個別制御基板６０が行う制御処理の流れを示している。個別制御基板６０は、まず初期化処理（ステップＳ４４１）を行い、その後は、基本点灯処理（ステップＳ４４２）と、グループ点灯処理（ステップＳ４４３）と、ランニング点灯処理（ステップＳ４４４）とを所定の周期（数ミリ秒）で繰り返し実行する。点灯処理には優先順位があり、最も高いものからランニング点灯処理、グループ点灯処理、基本点灯処理の順になっている。
【０１３８】
図２６は、個別制御基板６０が行う基本点灯処理の流れを示している。各スイッチ３５〜３８の入力（操作）に応じた基本点灯コマンドやグルーピング信号などの入力を子統合制御基板９０や親統合制御基板８０から受けたときは（ステップＳ４６１；Ｙ）、入力された信号に従って点灯パターン等に係わる自装置内の設定を変更する（ステップＳ４６２）。
【０１３９】
その後もしくは上記信号の入力がないときは（ステップＳ４６１；Ｎ）、グループ点灯処理またはランニング点灯処理の処理中か否かを調べ、いずれかを処理中ならば（ステップＳ４６３；ＹまたはステップＳ４６４；Ｙ）その時点で本処理を終了する（エンド）。グループ点灯処理中か否かはグループ点灯処理でセット・リセットされるフラグを参照することで認識する。同様に、ランニング点灯処理中か否かはランニング点灯処理がセット・リセットするフラグを参照することで認識するようになっている。
【０１４０】
グループ点灯処理中でもランニング点灯処理中でもないときは（ステップＳ４６４；Ｎ）、呼出ランプ９から大当り信号が入力されているか否かを調べ、大当り信号が入力されていれば（ステップＳ４６５；Ｙ）大当り点灯パターンによる点灯制御を実行して（ステップＳ４６６）本処理を終了する（エンド）。大当り信号が入力されていないときは（ステップＳ４６５；Ｎ）、通常点灯パターンによる点灯制御を実行して（ステップＳ４６７）本処理を終了する（エンド）。つまり基本点灯処理内において、大当り点灯の方が通常点灯よりも優先順位が高い。
【０１４１】
図２７は、個別制御基板６０が行うグループ点灯処理の流れを示している。子統合制御基板９０や親統合制御基板８０からグループ点灯コマンドの入力があるか否かを調べ、入力がないときは（ステップＳ４８１；Ｎ）本処理を終了する（エンド）。グループ点灯コマンドの入力があるときは（ステップＳ４８１；Ｙ）、それに応じて設定変更する（ステップＳ４８２）。
【０１４２】
その後、ランニング点灯処理の処理中か否かを調べ、処理中ならば（ステップＳ４８３；Ｙ）その時点で本処理を終了し（エンド）、ランニング点灯処理中でないときは（ステップＳ４８３；Ｎ）、呼出ランプ９から大当り信号が入力されているか否かを調べ、大当り信号が入力されていれば（ステップＳ４８４；Ｙ）大当り点灯パターンによる点灯制御を実行して（ステップＳ４８５）本処理を終了する（エンド）。大当り信号が入力されていないときは（ステップＳ４８４；Ｎ）、グループ点灯パターンによる点灯制御を実行して（ステップＳ４８６）本処理を終了する（エンド）。つまりグループ点灯処理内において、大当り点灯の方がグループ点灯よりも優先順位が高い。
【０１４３】
図２８は、個別制御基板６０が行うランニング点灯処理の流れを示している。呼出ランプ９から大当り信号が入力されたか、もしくは隣りの個別制御基板６０からランニング信号が入力されると（ステップＳ５０１；Ｙ）、ランニング点灯パターンによる点灯制御を実行し（ステップＳ５０２）、ランニング信号が入力された方向と反対隣りの個別制御基板６０に対してランニング信号を出力する（ステップＳ５０３）。なお、島内で端に位置する個別制御基板６０については、ランニング信号が入力されたものと同じ個別制御基板６０にランニング信号を返すようになっている。これにより、点灯箇所が島の端から端を往復するように移動することになる。大当り信号もランニング信号も入力がないときは（ステップＳ５０１；Ｎ）そのまま本処理を終了する（エンド）。
【０１４４】
点灯制御は、次のようになる。通常の状態では、島内の各表示装置８は通常点灯パターンで点灯している。たとえば、８秒周期のグラデーション点灯が行われる。このとき、いずれかのパチンコ機２で大当りが発生すると、そのパチンコ機２に対応する（上に設置された）表示装置８では大当り点灯パターンによる点灯制御が行われる。これと同時にランニング点灯が開始し、大当りの発生したパチンコ機２以外のパチンコ機２に対応する表示装置８では、隣りの個別制御基板６０からランニング信号が到来したときだけ通常点灯パターンによる点灯制御に割り込んで一瞬の間、ランニング点灯（色を変える）が行われる。大当りが発生したパチンコ機２では、隣りの個別制御基板６０からランニング信号が到来したときだけ大当り点灯パターンによる点灯制御に割り込んで一瞬だけランニング点灯（色を変える）が行われる。
【０１４５】
また、グループ点灯処理が行われている島においていずれかのパチンコ機２で大当りが発生すると、同様に、そのパチンコ機２に対応する（上に設置された）表示装置８では大当り点灯パターンによる点灯制御が行われ、大当りの発生したパチンコ機２以外のパチンコ機２に対応する表示装置８では、グルーピング点灯パターン設定スイッチ４１に基づく点灯色にてグループ点灯パターンによる点灯制御に割り込んで一瞬だけランニング点灯（色を変える）が行われる。
【０１４６】
ここで、より具体的に表示装置８の点灯態様について説明する。たとえばパチンコ島台１において、親統合スイッチパネル２０または子統合スイッチパネル２１の大当り点灯パターン設定スイッチ３５の７セグ表示器３４に「１」、点灯色設定スイッチ３６の７セグ表示器３４に「２」、通常点灯パターン設定スイッチ３７の７セグ表示器３４に「３」が設定されているとすると（図２２参照）、島内の各表示装置８、すなわち第１プレート２５ａ及び第２プレート２５ｂは、通常の状態ではタイムラグ４秒のグラデーション点灯（第１プレート２５ａが点灯を開始してから４秒後に第２プレート２５ｂが点灯を開始）を８秒間行っており、模様３０ａは青色、模様３０ｂは白色に発光している。
【０１４７】
このとき、いずれかのパチンコ機２で大当りが発生すると、そのパチンコ機２に対応する表示装置８では、模様３０ａ及び模様３０ｂが青色及び白色にて同期しながら８０ｍｓｅｃの高速点滅を１０秒間実行し、その後大当り終了まで模様３０ａ及び模様３０ｂが青色及び白色にて１秒間づつ交互に低速点滅する。一方大当りの発生したパチンコ機２以外のパチンコ機２に対応する表示装置８では、大当りが発生すると、模様３０ａ及び模様３０ｂが青色及び白色にてグラデーション点灯を行っている間に割り込んで、模様３０ａ及び模様３０ｂが一瞬だけ緑色に点灯する。これにより、緑色の点灯が、大当りの発生したパチンコ機２に対応する表示装置８から発せられ、パチンコ島台１の端から端を往復するように移動することになる。
【０１４８】
ここで、表示装置８の点灯制御は、基部フレーム１３内の基部間仕切り２３により、２列に設置されたＬＥＤ７１から発せられる入射光３１が必ず対応する第１プレート２５ａ、第２プレート２５ｂ内部に入射し、従って第１プレート２５ａに対応するＬＥＤ７１から発せられる入射光３１が第２プレート２５ｂ内部に入射して第２プレート２５ｂの点灯制御（点灯色や点灯パターン）に影響を及ぼしたり、第２プレート２５ｂに対応するＬＥＤ７１から発せられる入射光３１が第１プレート２５ａ内部に入射して第１プレート２５ａの点灯制御（点灯色や点灯パターン）に影響を及ぼしたりすることがない。すなわち、表示装置８の点灯制御は、基部フレーム１３内の基部間仕切り２３により、第１プレート２５ａと第２プレート２５ｂとが互いに影響することなくそれぞれ独立して行われる。これにより、表示装置８において第１プレート２５ａ、第２プレート２５ｂの模様３０ａ、３０ｂを所望する様々な点灯色や点灯パターンにて適正に発光することができる。
【０１４９】
また、親統合スイッチパネル２０のグルーピング点灯パターン設定スイッチ４１がＡに設定されている場合に、グルーピング点灯オン・オフスイッチ４０がオンすると、グルーピング指定スイッチ３９にて指定されたグループ番号（グルーピング設定スイッチ３８にて設定）を持つパチンコ島台１で、グルーピング点灯として第１プレート２５ａは赤色及び水色にて８０ｍｓｅｃづつ交互に高速点滅、一方第２プレート２５ｂは白色にて８０ｍｓｅｃの高速点滅をそれぞれ５秒間実行する。その後第１プレート２５ａは赤色及び水色にて６秒間づつ交互にグラデーション点灯を実行し、以後この交互高速点滅と交互グラデーションを繰り返し、一方第２プレート２５ｂは白色にて１秒の低速点滅を１２秒間実行し、以後この高速点滅と低速点滅を繰り返す。つまりグルーピング点灯が開始されると、模様３０ａは赤色及び水色の交互高速点滅、模様３０ｂは白色の高速点滅が同時に５秒間実行され、その後模様３０ａは赤色及び水色の交互グラデーション、模様３０ｂは白色の低速点滅が同時に１２秒間実行されることになる。
【０１５０】
このグルーピング点灯を行っているパチンコ島台１で、いずれかのパチンコ機２で大当りが発生すると、大当り点灯パターン設定スイッチ３５の７セグ表示器３４に「１」、点灯色設定スイッチ３６の７セグ表示器３４に「２」が設定されていることに基づいて、上記と同様に大当り及びランニング点灯パターンによる点灯制御が行われる。但し、この場合のランニング時の点灯色は、グルーピング点灯パターン設定スイッチ４１がＡに設定されているので青色となる。
【０１５１】
このように、本実施形態では、表示装置８は第１プレート２５ａの模様３０ａと第２プレート２５ｂの模様３０ｂとが重なり合って所定の絵柄が表示プレート２５に表示されるようになっているので、つまり第２プレート２５ｂの模様３０ｂも透けて視認できるようになっているので、相対的に、第１プレート２５ａ（模様３０ａ）と第２プレート２５ｂ（模様３０ｂ）との点灯パターン（点灯制御）を異ならせたり、第１プレート２５ａ（模様３０ａ）と第２プレート２５ｂ（模様３０ｂ）との点灯色をより鮮明に異ならせることで、表示装置８の装飾効果を極めて向上させることができる。
【０１５２】
次に、光源部が出射する光の色を切り替えることで模様の発光箇所を切り替える点灯制御について説明する。図１５で説明したように、ＬＥＤ７１の発光色と模様（印刷部）３０の印刷色とが同じ場合には発光強度が強く、ＬＥＤ７１の発光色と模様（印刷部）３０の印刷色とが補色の関係に近づくほど発光強度は弱くなる。
【０１５３】
たとえば、ＬＥＤ７１の色（光源から出射する光の色）が「緑」で印刷色が「赤」のときは模様がほとんど発光せず、印刷色が「緑」のときは強く発光する。また、ＬＥＤ７１の色が「赤」で印刷色が「緑」のときは模様がほとんど発光せず、印刷色が「赤」のときは強く発光する。そこで、「赤」と「緑」の模様を表示プレート２５上に形成しておき、ＬＥＤ７１の色を変化させれば、模様を選択的に発光させることができる。
【０１５４】
図２９は、第１プレート２５ａに赤色の魚の模様１６１と緑色の魚の模様１６２とを形成したものの一例を示している。同図は、同じデザインの複数の表示プレート２５を島台の欄間として並設したものの一部を表している。なお、海草１６３は青色の模様で、第２プレート２５ｂに形成してある。
【０１５５】
図３０は、第１プレート２５ａに対応するＬＥＤ７１の点灯する色を「緑」と「赤」とに交互に切り替え、第２プレート２５ｂに対応するＬＥＤ７１の点灯する色を常時「青」にしたときに模様１６１、１６２の発光箇所が変化する様子を示している。同図（ａ）及び（ｃ）は、第１プレート２５ａにおいて赤色のＬＥＤ７１ａを点灯したときの模様１６１の発光状態を、同図（ｂ）及び（ｄ）は、第１プレート２５ａにおいて緑色のＬＥＤ７１ｃを点灯させたときの模様１６２の発光状態をそれぞれ表わしている。第１プレート２５ａにおいて緑色のＬＥＤ７１ｃと赤色のＬＥＤ７１ａとを適切な速度で交互に点灯させると、魚が泳いで移動しているように視認され、変化に富む装飾効果を得ることができる。なお、第２プレート２５ｂは青色のＬＥＤ７１ｂのみを点灯させ、海草１６３は常時青色に発光している。
【０１５６】
図３１は、複数の表示装置を連携動作させることで模様の発光箇所を一定方向に移動させる場合の表示状態の一例を示している。この図では一尾の魚が一定方向に泳いで移動するように点灯制御される。表示装置１７１〜１７３の表示プレートにはそれぞれ、図３０に示すものと同様に赤色の魚の模様１６１と緑色の魚の模様１６２と青色の海草１６３とが描いてある。
【０１５７】
同図（ａ）では、右端の表示装置１７１が有する第１プレート２５ａに対応する赤色のＬＥＤ７１ａのみを点灯し、同図（ｂ）では、その表示装置１７１が有する第１プレート２５ａに対応する緑色のＬＥＤ７１ｃのみを点灯している。同様に、同図（ｃ）では、中央の表示装置１７２が有する第１プレート２５ａに対応する赤色のＬＥＤ７１ａのみを点灯し、同図（ｄ）では、その表示装置１７２が有する第１プレート２５ａに対応する緑色のＬＥＤ７１ｃのみを点灯している。同図（ｅ）では、左端の表示装置１７３が有する第１プレート２５ａに対応する赤色のＬＥＤ７１ａのみを点灯し、同図（ｆ）では、その表示装置１７３が有する第１プレート２５ａに対応する緑色のＬＥＤ７１ｃのみを点灯している。なお、海草１６３は、表示装置１７１、１７２、１７３が有する第２プレート２５ｂに対応する青色のＬＥＤ７１ｂのみを点灯し、青色に発光している。
【０１５８】
このような順序で３つの表示装置１７１、１７２、１７３が連携動作することで、魚の模様の発光箇所が３つの表示装置１７１〜１７３をその右端から左端に向けて移動し、一匹の魚がこれらの表示装置１７１〜１７３上をその右端から左端へと泳いで行く様子が演出表示される。
【０１５９】
上記のような点灯制御は、ランニング信号を隣りの個別制御基板６０に順に伝達した場合と同様の処理で実現することができる。すなわち、各個別制御基板６０は、隣りの個別制御基板６０から所定の連携パターン信号を受け取ると、まず第１プレート２５ａに対応する赤色のＬＥＤ７１ａを所定時間点灯（たとえば０．３秒）し、続いて第１プレート２５ａに対応する緑色のＬＥＤ７１ｃを同じ時間点灯し、一方第２プレート５５ｂに対応する青色のＬＥＤ７１ｂは赤、緑色ＬＥＤ７１ａ、７１ｃの点灯時間を合わせた時間（たとえば０．６秒）だけ点灯し、隣りの個別制御基板６０に連携パターン信号を出力する。これにより、発光する模様の位置が島台の端から端へと順に移動するようになる。
【０１６０】
図３２は、表示プレート２５の他の一例を示す斜視図である。なお、これ以降に説明する他の実施形態において、前述した構成と同様な構成については同じ符号を記す。さて、これまでは表示プレート２５に光を拡散する性質の模様を直接印刷にて形成したが、この例では、光を拡散する模様（発光部）３０ｂの印刷されたフィルムシート４８を第２プレート２５ｂに貼着する構成になっている。フィルムシート４８は、第２プレート２５ｂと同じ形にカットされたフィルム状のシートである。
【０１６１】
この場合、フィルムシート４８の裏面側（第２プレート２５ｂへの貼着面と反対側）に模様（発光部）３０ｂを印刷するとよい。この理由は、第２プレート２５ｂとフィルムシート４８とを隙間ができないように密着して貼着することができ、それにより模様の発光強度を増すことができるからである。模様を裏面側に設ける場合には有色透明または無色透明のフィルムシート４８を使用する。模様を表面側に設ける場合は、フィルムシート４８を不透明にしてもよく、フィルムシート４８自体に背景色を出す機能や反射材としての機能を持たせるようにしてもよい。
【０１６２】
図３３は、表示プレート２５のさらに他の一例を示す斜視図である。ここでは、模様（発光部）３０ａの印刷されたフィルムシートをその模様の形にカットしたカッティングシート４９を第１プレート２５ａに貼着する構成になっている。この場合にも、上記と同様な理由から、カッティングシート４９の裏面側に模様（発光部）３０ａを印刷するとよい。
【０１６３】
図３２や図３３のように模様３０を印刷したフィルムシートを表示プレート２５（第１プレート２５ａ、第２プレート２５ｂ）に貼着するようにすれば、表示装置（欄間）８のデザインを、シート（カッティングシートまたはフィルム状のシート）を剥がしたりはったりするだけの作業で極めて容易に変更することが可能となり、デザイン変更時のコストダウンに繋がる。特にカッティングシート４９では、複数のカッティングシート４９の組み合わせ方や表示プレート２５（第１プレート２５ａ、第２プレート２５ｂ）に貼着する際の配置を変えることで様々なデザインを形成することができる。
【０１６４】
なお、表示プレート２５（第１プレート２５ａ、第２プレート２５ｂ）に模様を直接印刷する場合でも、元の印刷を消して新しいデザインの模様を印刷するようにすれば、プレート材（導光板）のリサイクルも可能になる。
【０１６５】
図３４は、パチンコ島台１の他の一例を示す斜視図である。表示装置は欄間８以外にも適用でき、たとえば台間ユニット３、カウンタ４、腰板５、巾木６、幕板７、妻板（島飾り）１１などに適用することができる（図中、斜線を施した箇所）。また、パチンコ島台１に限らず、スロット島、アレンジ島等、パチンコ機２以外の遊技機を設置する島に適用してもよい。
【０１６６】
図３５は、本発明に係わる表示装置をカウンタ４と腰板５に適用したものの一例を示している。この例は、カウンタと腰板を略Ｌ字状に一体的に構成した一体天腰板１４５を形成し、この一体天腰板１４５を表示装置とした例である。表示プレート１２５（第１プレート１２５ａ、第２プレート１２５ｂ）の印刷面（光を拡散する模様のある面）は、カウンタ部１３０ａ、１３０ｂでは図において下側に、腰板部１３１ａ、１３１ｂでは図において奥側になっている。従って、この表示プレート１２５を製作する場合には、まず２枚の平板状の導光板の両面それぞれに印刷（カウンタ部１３０ａ、１３０ｂ用の印刷と腰板部１３１ａ、１３１ｂ用の印刷）を施し、その後、略Ｌ字状に曲加工すればよい。２枚の平板状の導光板は、第１プレート１２５ａ用より第２プレート１２５ｂ用の方が、高さ方向において若干大きくなる。
【０１６７】
曲加工では熱処理が発生するので、ここでは熱成形しやすい押出し製法により製造した押出し板（メタクリル樹脂、アクリル樹脂）を導光板として採用するのが好ましい。但し、前述したように押出し板はキャスト板に比べ耐衝撃性・表面硬度などが劣るとともに、カウンタ部１３０ｂや腰板部１２５ａは遊技者が触れやすい箇所でもある（場合によっては、タバコの火や蹴り等によるイタズラもある）。ここではこれらを考慮して、カウンタ部１３０ｂを保護する強化ガラス１４６と、腰板部１２５ａを保護する傷付き防止コーティング１４７とを設けている。強化ガラス１４６は適宜手段によりカウンタ部１３０ｂの上面を覆うように取り付ければよい。また傷付き防止コーティング１４７には光触媒（酸化チタン）を混入させてもよい。
【０１６８】
ＬＥＤ基板７０は、図６や図７に示すフレーム１２と略同様の方法でフレーム１１２に取り付けられ、表示プレート１２５（第１プレート１２５ａ、第２プレート１２５ｂ）の下端側から光りを照射する構成になっている。なおフレーム１１２は、フレーム１２のうち基部フレーム１３以外の部分をほぼ取り除いたように形成されている。これにより、ＬＥＤから発せられた光はＬ字の形状に沿って表示プレート１２５（第１プレート１２５ａ、第２プレート１２５ｂ）の内部を伝播し、カウンタ部１３０ａ、１３０ｂの端面（反射テープ２６）まで到達し、さらに反射して内部での伝播を繰り返す。このように本発明に係わる表示装置は、平面だけでなく曲面にも採用できるので、極めて使い勝手がよい。またカウンタ部１３０ａ、１３０ｂと腰板部１３１ａ、１３１ｂとでＬＥＤ基板７０を共用することができ、光源の必要数が減ってコストダウンになる。
【０１６９】
図３６は、図３５に示す表示プレート１２５にそのカウンタ部１３０ａ、１３０ｂと強化ガラス１４６との端面を保護する保護プレート１５１を装着したものの一例を示している。保護プレート１５１は、カウンタ４の遊技者側端面において、カウンタ部１３０ａ、１３０ｂの端面と強化ガラス１４６の端面の双方をちょうど覆う大きさの金属板などで構成されている。カウンタ部１３０ａ、１３０ｂと強化ガラス１４６との境界部分を覆うことができれば、図示したものより幅の狭いものであってもよいが、端部全面を覆うものが望ましい。なお、この保護手段の他の例としては、強化ガラス１４６の端面とカウンタ部１３０ａ、１３０ｂの端面の重合側の双方を面取りしてコーキング処理するようにしても良い。
【０１７０】
近年、ホールにおいては、負けた遊技者が腹いせにパチンコ機２と台間ユニット３との僅かな隙間にプリペイドカード等の異物を挿入するイタズラが多発し、これが原因で島台内において玉詰まりや装置の故障等が発生している。２枚の表示プレート１２５（第１プレート１２５ａ、第２プレート１２５ｂ）でカウンタ部１３０ａ、１３０ｂを形成し、さらにこのカウンタ部１３０ａ、１３０ｂの上に保護用の強化ガラス１４６を重ねると、上記と同様のイタズラが発生することが想定される。
【０１７１】
すなわち、図３７に示すように、カウンタ部１３０ａとカウンタ部１３０ｂとの重合面の隙間１５２、またはカウンタ部１３０ｂと強化ガラス１４６との重合面の隙間１５２にプリペイドカードなどの異物１５３が挿入される可能性がある。異物１５３が挿入されると、発光する模様（デザイン）の上に異物１５３が載る形になって模様が覆われてしまい、デザインの装飾効果が著しく低下してしまう。保護プレート１５１は、このようなイタズラを防止するとともに、強化ガラス１４６と表示プレート１２５（カウンタ部１３０ａ、１３０ｂ）の端面を保護する機能を果たす。なお、図３７は、一体天腰板１４５に異物１５３が挿入される様子を示す説明図である。
【０１７２】
図３８は、本発明に係わる表示装置を腰板５に適用したものの一例を示している。この例は、図２などで説明した欄間８と同様な平面状の腰板２０５を表示装置としたものである。表示プレート２２５（第１プレート２２５ａ、第２プレート２２５ｂ）の上端部２２４ａ、２２４ｂ側から光りを照射する構成となっており、表示プレート２２５（第１プレート２２５ａ、第２プレート２２５ｂ）の下端部２２３には反射テープを貼らずに、下端部２２３ａ、２２３ｂから出射される透過光２３３によりホールの床面を照らす（足元照明）ようになっている。
【０１７３】
その為、バフ（磨き…鏡面加工）は、上端部２２４ａ、２２４ｂ側だけでなく、下端部２２３ａ、２２３ｂ側にもかけてあり、これにより透過光２３３を強めている。但し、その分、模様の発光強度は若干弱まる。また、ＬＥＤ基板７０と個別制御基板６０とを連結するハーネスは、個別制御基板６０に延設された雄コネクタ１９に繋がるハーネス１７と、ＬＥＤ基板７０を収めたフレーム２１２側に繋がるハーネス２１７との２本に分けてあり、これらのハーネス１７、２１７を雄コネクタ１９と雌コネクタ２７５とで着脱可能に連結している。これにより、島内を保守・点検等をするときに、雌コネクタ２７５を雄コネクタ１９から抜脱して腰板２０５を取り外すことができ、作業性が向上する（特にスロット島）。このような中継用のコネクタは、図２に示した表示装置８に接続するハーネス１７の途中に設けてもよい。なお、ＬＥＤ基板７０は、図６や図７に示すフレーム１２と略同様の方法でフレーム２１２に取り付けられ、フレーム２１２は、フレーム１２のうち基部フレーム１３及び背板１５以外の部分をほぼ取り除いたように形成されている。
【０１７４】
次に、図３９及び図４０を参照しながら、表示装置の他の実施形態について説明する。まず図３９において、（Ａ）は、表示プレート２５５の一部を示す正面図、（Ｂ）は、表示プレート２５５にＬＥＤ基板７０を設置した様子を示す側面図である。図３９（Ａ）に示すように、表示プレート２５５の下部には、複数の貫通孔２５６が形成されており、これらの貫通孔２５６には、図３９（Ｂ）に示すように、立設したＬＥＤ基板７０のＬＥＤ７１が臨むようになっている。つまり、貫通孔２５６は、ＬＥＤ基板７０に設けられたＬＥＤ７１の個数及びピッチに対応して表示プレート２５５に穿設され、ＬＥＤ基板７０は、この貫通孔２５６にＬＥＤ７１が臨むように表示プレート２５５に付設されていると共に、その表面には、前記した反射層７４が施されている。この実施形態では、１枚の表示プレートを図示してあるが、表示プレートは複数枚あってもよい。
【０１７５】
なお、図示していないが、その他の構成は前述した構成に準じて形成すればよく、たとえば前記基部フレーム１３と同様なフレームを設けたり、あるいはシート状のものをＬＥＤ基板７０を包み込むように表示プレート２５５の下部に設けるようにしてもよい。当然ながら、これらフレームやシートの内部は、ほぼ密閉状態で前述した反射層２９ａ、２９ｂのような反射層が形成されている。従ってＬＥＤ７１から発せられた光は、その一部は貫通孔２５６から表示プレート２５５内部に直接入射したり、あるいは貫通孔２５６や表示プレート２５５の下端から反射層により乱反射して間接入射するようになっており、すなわちＬＥＤ７１から発せられた光は、様々な角度と方向から表示プレート２５５内部に入射するようになっており、前述した実施形態と同様な作用効果を奏する。
【０１７６】
なお、貫通孔２５６に変えて、表示プレート２５５の下端面に略半円状の孔を設け、それ以外の構成は前記に準じて形成するようにしてもよい。
【０１７７】
次に、図４０は、表示装置において他の実施形態のＬＥＤ基板７００を用いたときの説明図であり、（Ａ）は、ＬＥＤ基板７００を示す正面図、（Ｂ）は、ＬＥＤ基板７００を装着したときの表示装置の一部断面図である。ＬＥＤ基板７００には、前述した表面実装型のＬＥＤに変えてランプ型の赤ＬＥＤ７１０ａ、青ＬＥＤ７１０ｂ、緑ＬＥＤ７１０ｃが上記と同様に３個を一組として５組設けられている。そして、これらの赤ＬＥＤ７１０ａ、青ＬＥＤ７１０ｂ、緑ＬＥＤ７１０ｃは、図４０（Ｂ）に示すように、ＬＥＤの頭部が表示プレート２５に臨むようにＬ字状の端子でＬＥＤ基板７００に装着されており、このようにすることでもＬＥＤ基板を立設して形成することが可能となる。これにより表示装置（欄間）の厚みを薄くして、取り扱い易いものにすることができる。
【０１７８】
ここで、この実施形態の表示装置（欄間）においては、ＬＥＤ７１０から発せられた光は、全て表示プレート２５内に直接入射するようになっており、従って上記したような反射層２９ａ、２９ｂや反射層７４は形成されていない。但し、このように光を表示プレート２５内部に直接入射させるもののみにすると、上記図１１（Ａ）のところで説明した直接光が到達しない斜線部５９（光の筋）が発生するので、本実施形態のフレーム７２０では、この光の筋を覆い隠すだけの充分な長さの目隠し部としての前面板７２１が形成されている。
【０１７９】
次に、図４１を参照しながら、表示装置の制御回路（個別制御基板）の他の実施形態について説明する。図４１は、表示装置８００の制御回路（個別制御基板）を示す要部ブロック図である。この例が、前記図２１に示した要部ブロック図と異なる点は、出力回路６３にパラレル接続された表示装置８００に設けられた６枚のＬＥＤ基板７０である。上記したように、表示装置の表示プレート（第１プレート、第２プレート）に対応して設けられるＬＥＤ基板７０は、便宜上、１枚で説明してきたが、実際には、図４１に示すように、たとえば３枚のＬＥＤ基板７０が２組使用される。この場合、ＬＥＤ基板７０と個別制御基板の出力回路６３との接続は、シリアル接続（各ＬＥＤ基板７０同士を直列に接続したものを出力回路６３に接続）と、図４１に示すパラレル接続とが考えられる。
【０１８０】
図４１のように構成した表示装置８００では、１枚のＬＥＤ基板７０単位で点灯制御が可能になるので、より凝った点灯制御、たとえば、模様を所望の色で横方向に順次発光（横方向グラデーション）させたりする点灯制御も可能となり、さらに装飾効果及び演出効果が向上する。なお、ＬＥＤ基板７０に設けられた個々のＬＥＤ７１単位で点灯制御を行うようにしてもよい。このようにすれば、さらに複雑な点灯制御が可能になる。
【０１８１】
以上の説明から明らかなように、本発明の表示装置は、表示プレートを２枚の第１プレート及び第２プレートにて形成しているものの、前述したようにＬＥＤ基板を立設して形成しているので、装飾効果や演出効果が極めて高い装置でありながら、表示装置の厚みを極力薄くすることができ、パチンコ島台内の限られたスペース、特に表示装置の板厚方向（奥行方向）のスペースに制約の大きい島台にとっては、極めて使い勝手のよい装置となる。
【０１８２】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１８３】
本実施形態では、表示プレート２５において第１プレート２５ａに家等の風景を、第２プレート２５ｂに煙や雪を模様とし、表示装置５０の点灯色や点灯パターンの一例として、家等の風景を白色以外の色に、煙や雪を白色に所定の点灯パターンにて発光させるようにして、たとえば煙や雪があたかも移動しているように表示させる例を示したが、これら第１プレート２５ａ、第２プレート２５ｂの模様や発光色、点灯パターン等は特に限定するものではなく、適宜に設定すればよい。
【０１８４】
実施の形態では、表示プレート２５は２枚の導光板（第１プレート２５ａ、第２プレート２５ｂ）にて形成したが、これは３枚以上であってもよい。但し、あまり多いと表示装置（欄間）８が厚くなるので好ましくない。また、表示プレート２５を正面視したときに、第１プレート２５ａの模様（印刷部）３０ａと第２プレート２５ｂの模様（印刷部）３０ｂとが重ならないようにしたが、これは所定の箇所が重なるようにしてもよい。模様同士が重なると、その重なった箇所ではＬＥＤ７１の点灯、不点灯に拘わらず色合いが変わり、表示プレート２５の趣が変化するので、これを上手く活用して適宜に模様を施すようにすればよい。
【０１８５】
また、コの字状のフレームを一例として示したが、フレームの形状はこれに限定されるものではない。たとえば、表示プレートの周囲４辺を取り囲む枠でも、周囲の対向する２辺で挟み込むようにして表示プレートを支持する枠でもよい。また、Ｌ字状のフレームでも、表示プレートの１辺だけを支持するもの、たとえばプレートの端部を表裏両面から挟み込んで支持するようなものであってもよい。
【０１８６】
また、フレームを島台に回転可能に取り付けるための回転軸として実施の形態では蝶番を例示したが、回転可能であれば他の支持方法であってもよい。また、保守点検などに必要な角度範囲で回転すればよく、たとえば、９０度から１２０度程度の回転角があればよい。このほか、欄間８等の場合には、開いた位置でフレームが保持されるように構成するとよい。保持は、ステーやフック、油圧シリンダなどを用いて行なうことができる。
【０１８７】
また、フレームに設けた切欠１８の数、大きさ、配置は実施の形態で例示したものに限定されない。また、表示装置８では、２列に設置されたＬＥＤ７１から発せられる入射光３１が必ず対応する第１プレート２５ａ、第２プレート２５ｂ内部に入射するように、つまり隣接する入射光３１の侵入を防止する防止部材としての機能を果たすように、基部間仕切り２３を上記前面板１３ｂと同じ大きさに形成したが、この基部間仕切り２３の大きさは、ＬＥＤ７１の指向性に合わせて適宜に設定すればよい。要は、隣接する入射光３１の侵入を防止できればよい。
【０１８８】
また、第１プレート２５ａと第２プレート２５ｂとは、基部間仕切り２３の厚みだけ隙間ができるので、この隙間から塵等が侵入するのを防止する防塵手段（遮蔽部材）を設けるようにしてもよい。この防塵手段としては、たとえば第１プレート２５ａ及び第２プレート２５ｂの上端面の隙間を塞ぐようにテープを貼ったり、プレートを付設してこの隙間を塞ぐようにすること等が考えられる。さらに、このようにすれば、第１プレート２５ａと第２プレート２５ｂとの相対位置を、より精度高く固定することもできる。勿論、防塵手段とは別に、ピン等で第１プレート２５ａと第２プレート２５ｂとを固定するようにしてもよい。
【０１８９】
このほか、欄間（表示装置）８は、所定時間が経過すると自動的に点灯態様が変化するように構成してもよい。たとえば、朝、昼、夜で点灯色を、それに合った色調に変更するなどである。
【０１９０】
また、実施の形態では１台のパチンコ機２に対して１つの表示装置８を設けたが１台のパチンコ機２につき２台以上の表示装置８を設けてもよい。たとえば、欄間８と他の箇所とに分けて複数台の表示装置８を設けるときは、交互点滅や同時点滅等、点灯態様をさらに増やすことができる。
【０１９１】
個別制御基板６０は、２つの表示装置８に対し１個設けるようにしたが、４対１や６対１にしてもよい。また、表示装置を欄間８以外に設けたときも同様である。
【０１９２】
実施の形態では、親統合スイッチパネル２０、子統合スイッチパネル２１は、妻板１１に設けたが、これは限定することなく、たとえば欄間８を開けた位置における島内部の島柱に設けてもよく、また、リモコン装置により構成するようにしてもよい。リモコン装置は、専用のものでもよいが、たとえば、ホール内ネットワークを通じて親統合制御基板８０や子統合制御基板９０をホール管理コンピュータなどに接続し、ここから遠隔操作するように構成してもよい。
【０１９３】
ＬＥＤ基板７０の長さは、各ホールにて異なる台間ユニット３の幅（４０〜１００ｍｍ）に対応できるよう、複数種類設けてもよい。長さの異なるＬＥＤ基板７０を組み合わせることで、欄間８は、より一層、多様な幅に対応することができる。なお、ＬＥＤ７１はフルカラーのＬＥＤを採用してもよい。
【０１９４】
このほか実施の形態では、表示プレートの１つの端面のみから光源の光を照射するように構成したが、２以上の端面から光を照射してもよい。たとえば、表示プレートが縦方向に長くて一方の端面から光を照射しただけでは光が他端まで到達し難い場合には、対向する両端面から光を照射するように構成するとよい。
【０１９５】
また、表示プレートの表面に半透明状の有色（たとえば黒）のシートやプレートを付設するようにしてもよい。このようにすると、ＬＥＤ７１が点灯していないときは模様３０が見えにくくなり、一方ＬＥＤ７１が点灯すると、模様３０が何もないところから出現するような演出が可能となり、演出効果が向上する。
【０１９６】
また、実施の形態では光を拡散する模様３０を印刷により形成したが、エッチングや彫刻により導光板に直接模様を形成してもよい。彫られた箇所は導光板内の光を拡散して発光する。
【０１９７】
さらに、実施の形態では、模様の色とＬＥＤの発光色との組合せにより模様を選択的に発光させるものの一例を図２９から図３１において説明したが、模様の色や配置、大きさなどはこれらの図に例示したものに限定されない。また、模様の移動パターンは図３１に示すような一定方向に順に移動するものに限らず、たとえば模様が行ったり来たりしながら進むように構成してもよい。
【０１９８】
次に特許請求の範囲の構成と、本発明の実施形態との主な対応を説明する。遊技機はパチンコ機２に相当し、島台はパチンコ島台１、両面島１ａ、壁島１ｂに相当し、表示装置は表示装置（欄間）８に相当し、模様は模様（印刷部）３０、３０ａ、３０ｂに相当し、表示プレートは表示プレート２５、第１プレート２５ａ、第２表示プレート２５ｂに相当し、表示プレートの光が照射される端面は表示プレートの上端（光の入射端面）２４、２４ａ、２４ｂに相当し、光源部（第１光源部及び第２光源部）はＬＥＤ７１、７１ａ、７１ｂ、７１ｃに相当し、基板はＬＥＤ基板７０に相当し、フレームはフレーム１２に相当し、回転軸は蝶番１３ａに相当し、表面実装型の発光ダイオードはＬＥＤ７１に相当し、反射部材及び反射層は反射層２９ａ、２９ｂ、７４に相当し、ランプ型の発光ダイオードはＬＥＤ７１０に相当し、目隠し部は前面板７２１に相当し、孔は貫通孔２５６に相当し、反射材は反射テープ２６ａ、２６ｂに相当し、Ｌ字状に折り曲げてある表示プレートは１２５、第１プレート１２５ａ、第２表示プレート１２５ｂに相当し、カウンタ部はカウンタ部１３０ａ、１３０ｂに相当し、腰板部は腰板部１３１ａ、１３１ｂに相当し、表示プレートの下端から出射する光は透過光２３３に相当し、制御部は個別制御基板６０、親統合制御基板８０、子統合制御基板９０に相当し、フィルムシートはフィルムシート４８、カッティングシート４９に相当し、第１表示プレートは第１プレート２５ａに相当し、第２表示プレートは２５ｂに相当し、防止部材は基部間仕切り２３に相当し、遮蔽部材は防塵手段に相当する。
【図面の簡単な説明】
【０１９９】
【図１】本発明の実施の形態に係わる表示装置を欄間として取り付けたパチンコ島台を示す斜視図である。
【図２】表示装置を示す分解斜視図である。
【図３】表示プレート（第１プレート、第２プレート）を示す分解斜視図である。
【図４】表示装置のフレームを示す六面図及び断面図である。
【図５】ＬＥＤ基板の正面図である。
【図６】フレーム内にＬＥＤ基板を設置した状態を示す平面図と正面図である。
【図７】表示プレートを基部フレームに取り付けた状態の表示装置をその内部構造とともに示した正面図である。
【図８】第１プレート、反射テープ、反射シートの分解斜視図である。
【図９】第２プレート、反射テープ、反射シートの分解斜視図である。
【図１０】基部フレーム内に２列に設置されたＬＥＤから発せられる光が、反射層に反射して第１プレート、第２プレート内部に入射する様子を示す断面図である。
【図１１】（Ａ）は、ＬＥＤ基板を横設した場合のＬＥＤの指向性と表示プレート内の照射領域との関係を示す正面図、（Ｂ）は、（Ａ）の側面図である。
【図１２】ＬＥＤから入射した光の表示プレート内部における伝播経路を示す説明図である。
【図１３】ＬＥＤから入射した光が模様（印刷部）にて乱反射する状態を示す説明図である。
【図１４】表示装置の模様（印刷部）が発光する様子を模式的に示す説明図である。
【図１５】ＬＥＤの発光色（波長）と模様（印刷部）の印刷色との組み合わせ方と印刷部の発光強度との関係を示す説明図である。
【図１６】パチンコホールのレイアウトと表示装置に係わる配線との一例を示す平面模式図である。
【図１７】子統合制御基板の回路構成を示すブロック図である。
【図１８】子統合スイッチパネルを示す正面図である。
【図１９】親統合制御基板の回路構成を示すブロック図である。
【図２０】親統合スイッチパネルを示す正面図である。
【図２１】個別制御基板の回路構成を示すブロック図である。
【図２２】親統合スイッチパネル及び子統合スイッチパネルの各スイッチに対応する７セグ表示器に表示される数字と欄間（表示装置）の点灯パターンまたは点灯色、及びランニング時の点灯色との関係を示す点灯パターン一覧表である。
【図２３】親統合制御基板が行なう制御処理を示す流れ図である。
【図２４】子統合制御基板が行なう制御処理を示す流れ図である。
【図２５】個別制御基板が行なう制御処理を示す流れ図である。
【図２６】個別制御基板が行なう基本点灯処理を示す流れ図である。
【図２７】個別制御基板が行なうグループ点灯処理を示す流れ図である。
【図２８】個別制御基板が行なうランニング点灯処理を示す流れ図である。
【図２９】赤色の魚の模様と緑色の魚の模様とを形成した表示プレートの一例を示す説明図である。
【図３０】図２９の表示プレートにおいて、第１プレートに対応するＬＥＤの色を「緑」と「赤」とに交互に切り替えることで模様の発光箇所が変化する様子の一例を示す説明図である。
【図３１】複数の表示装置を連携動作させることで模様の発光箇所を一定方向に移動させたときの表示状態の一例を示す説明図である。
【図３２】模様を印刷したフィルムシートを貼り付けた表示プレートの一例を示す斜視図である。
【図３３】模様を印刷したフィルムシートをその模様の形にカットしたカッティングシートを貼り付けた表示プレートの一例を示す斜視図である。
【図３４】パチンコ島台における表示装置の適用可能箇所の一例を示す説明図である。
【図３５】島台のカウンタと腰板とに適用されるＬ字に曲げた表示プレートを用いた表示装置の一例を示す分解斜視図である。
【図３６】図３５に示す表示装置のカウンタ部の端面に保護プレートを装着したものの一例を示す分解斜視図である。
【図３７】表示プレートのカウンタ部と強化ガラスとの隙間にプリペイドカードなどの異物が挿入される様子を示す説明図である。
【図３８】島台の腰板として使用される足元照明の機能を備えた表示装置の一例を示す分解斜視図である。
【図３９】他の実施形態の表示プレートに係わる説明図である。
【図４０】他の実施形態のＬＥＤ基板に係わる説明図である。
【図４１】他の実施形態の表示装置の制御回路に係わる要部ブロック図である。
【符号の説明】
【０２００】
１…パチンコ島台
１ａ…両面島
１ｂ…壁島
２…パチンコ機
３…台間ユニット
４…カウンタ
５…腰板
６…巾木
７…幕板
８…表示装置（欄間）
９…呼出ランプ
１０…通路
１１…妻板
１２…フレーム
１３…基部フレーム
１３ａ…蝶番
１３ｂ…前面板
１４ａ、１４ｂ…側フレーム
１５…背板
１６ａ、１６ｂ、１６ｃ、１６ｄ…螺子穴
１７…ワイヤハーネス
１８…切欠
１９…雄コネクタ
２０…親統合スイッチパネル
２１…子統合スイッチパネル
２２ａ、２２ｂ…側間仕切り
２４…表示プレートの上端（光の入射端面）
２４ａ…第１プレートの上端（光の入射端面）
２４ｂ…第２プレートの上端（光の入射端面）
２５…表示プレート
２５ａ…第１プレート
２５ｂ…第２プレート
２６ａ、２６ｂ…反射テープ
２７、２８…反射シート
２９ａ、２９ｂ…反射層
３０、３０ａ、３０ｂ…模様（印刷部）
３１…入射光
３２…反射光
３４…７セグ表示器
３５…大当り点灯パターン設定スイッチ
３６…点灯色設定スイッチ
３７…通常点灯パターン設定スイッチ
３８…グルーピング設定スイッチ
３９…グルーピング指定スイッチ
４０…グルーピング点灯オン・オフスイッチ
４１…グルーピング点灯パターン設定スイッチ
４７ａ、４７ｂ、４７ｃ、４７ｄ…ストッパ片
４８…フィルムシート
４９…カッティングシート
５１ａ、５１ｂ…嵌合溝
５５…支持板
５９…斜線部
６０…個別制御基板
６１…ＣＰＵ
６２…入力回路
６３…出力回路
６４…バス
６６…ＲＯＭ
６７…ＲＡＭ
７０…ＬＥＤ基板
７１…ＬＥＤ
７１ａ…赤ＬＥＤ
７１ｂ…青ＬＥＤ
７１ｃ…緑ＬＥＤ
７２…抵抗
７４…反射層
８０…親統合制御基板
８１…ＣＰＵ
８２…入力回路
８３…出力回路
８４…バス
８６…ＲＯＭ
８７…ＲＡＭ
８８…ハーネス
９０…子統合制御基板
９１…ＣＰＵ
９２…入力回路
９３…出力回路
９４…バス
９６…ＲＯＭ
９７…ＲＡＭ
１２５…表示プレート
１２５ａ…第１プレート
１２５ｂ…第２プレート
１３０ａ、１３０ｂ…カウンタ部
１３１ａ、１３１ｂ…腰板部
１４５…一体天腰板
１４６…強化ガラス
１４７…傷付き防止コーティング
１５１…保護プレート
１５２…隙間
１５３…異物
１６１…赤色の魚の模様
１６２…緑色の魚の模様
１６３…白色の海草の模様
１７１、１７２、１７３…表示装置
２０５…腰板
２１２…フレーム
２１７…ハーネス
２２３ａ、２２３ｂ…下端部
２２４ａ、２２４ｂ…上端部
２２５…表示プレート
２２５ａ…第１プレート
２２５ｂ…第２プレート
２３３…透過光
２５６…貫通孔
２７５…雌コネクタ
３１０…点灯パターン一覧表
７００…ＬＥＤ基板
７１０…ＬＥＤ
７１０ａ…赤ＬＥＤ
７１０ｂ…青ＬＥＤ
７１０ｃ…緑ＬＥＤ
７２１…前面板
８００…表示装置（欄間）
【図１】
2007097806.tif 000003
【図２】
2007097806.tif 000004
【図３】
2007097806.tif 000005
【図４】
2007097806.tif 000006
【図５】
2007097806.tif 000007
【図６】
2007097806.tif 000008
【図７】
2007097806.tif 000009
【図８】
2007097806.tif 000010
【図９】
2007097806.tif 000011
【図１０】
2007097806.tif 000012
【図１１】
2007097806.tif 000013
【図１２】
2007097806.tif 000014
【図１３】
2007097806.tif 000015
【図１４】
2007097806.tif 000016
【図１５】
2007097806.tif 000017
【図１６】
2007097806.tif 000018
【図１７】
2007097806.tif 000019
【図１８】
2007097806.tif 000020
【図１９】
2007097806.tif 000021
【図２０】
2007097806.tif 000022
【図２１】
2007097806.tif 000023
【図２２】
2007097806.tif 000024
【図２３】
2007097806.tif 000025
【図２４】
2007097806.tif 000026
【図２５】
2007097806.tif 000027
【図２６】
2007097806.tif 000028
【図２７】
2007097806.tif 000029
【図２８】
2007097806.tif 000030
【図２９】
2007097806.tif 000031
【図３０】
2007097806.tif 000032
【図３１】
2007097806.tif 000033
【図３２】
2007097806.tif 000034
【図３３】
2007097806.tif 000035
【図３４】
2007097806.tif 000036
【図３５】
2007097806.tif 000037
【図３６】
2007097806.tif 000038
【図３７】
2007097806.tif 000039
【図３８】
2007097806.tif 000040
【図３９】
2007097806.tif 000041
【図４０】
2007097806.tif 000042
【図４１】
2007097806.tif 000043